(57)【要約】【課題】冷却効率を向上できる冷却装置、光源装置及びプロジェクターを提供すること。【解決手段】冷却対象の熱が伝達される伝達領域を有する基板と、前記基板において前記伝達領域が位置する第１面、及び、前記第１面とは反対側の第２面のいずれかに設けられ、前記基板に伝達された熱を放熱する第１放熱部と、を備え、前記第１放熱部の少なくとも一部は、前記伝達領域の外側に位置し、前記第１放熱部は、前記伝達領域に対向して位置し、前記第１放熱部内に冷却気体を導入する導入部と、前記導入部を介して導入された前記冷却気体を前記第１放熱部に沿って前記基板の外周側に流通させる流路と、を有することを特徴とする冷却装置。【選択図】図８
2018106115.tif 000002
【特許請求の範囲】
【請求項１】
冷却対象の熱が伝達される伝達領域を有する基板と、
前記基板において前記伝達領域が位置する第１面、及び、前記第１面とは反対側の第２面のいずれかに設けられ、前記基板に伝達された熱を放熱する第１放熱部と、を備え、
前記第１放熱部の少なくとも一部は、前記伝達領域の外側に位置し、
前記第１放熱部は、
前記伝達領域に対向して位置し、前記第１放熱部内に冷却気体を導入する導入部と、
前記導入部を介して導入された前記冷却気体を前記第１放熱部に沿って前記基板の外周側に流通させる流路と、を有することを特徴とする冷却装置。
【請求項２】
請求項１に記載の冷却装置において、
前記冷却対象から受熱し、前記伝達領域と接続される受熱部を有し、
前記第１放熱部は、前記第２面に位置することを特徴とする冷却装置。
【請求項３】
請求項１又は請求項２に記載の冷却装置において、
前記基板及び前記第１放熱部を収容する筐体を有し、
前記筐体は、
前記導入部に対向する位置に開口し、前記筐体内に前記冷却気体を導入する導入口と、
前記第１放熱部を流通した前記冷却気体を前記筐体外に排出する排出口と、を有することを特徴とする冷却装置。
【請求項４】
請求項３に記載の冷却装置において、
前記筐体は、開口部を有することを特徴とする冷却装置。
【請求項５】
請求項３又は請求項４に記載の冷却装置において、
前記筐体内に収容され、前記冷却気体を前記第１放熱部に流通させる第１冷却ファンを備えることを特徴とする冷却装置。
【請求項６】
請求項５に記載の冷却装置において、
前記第１冷却ファンは、前記導入部に位置することを特徴とする冷却装置。
【請求項７】
請求項５又は請求項６に記載の冷却装置において、
前記第１放熱部は、前記第２面における前記第１冷却ファンを囲むことを特徴とする冷却装置。
【請求項８】
請求項５に記載の冷却装置において、
前記第１冷却ファンは、
複数の第１羽根部材と、
前記複数の第１羽根部材を回転させる駆動装置と、を有し、
前記複数の第１羽根部材は、前記第２面における前記第１放熱部を囲むことを特徴とする冷却装置。
【請求項９】
請求項３から請求項８のいずれか一項に記載の冷却装置において、
前記第１放熱部を流通した前記冷却気体が前記排出口から排出される際に流通する第２放熱部を備えることを特徴とする冷却装置。
【請求項１０】
請求項１から請求項９のいずれか一項に記載の冷却装置において、
前記基板の中心軸を回転軸とし、当該基板を前記回転軸に沿う方向に回転させる回転装置を有することを特徴とする冷却装置。
【請求項１１】
請求項１から請求項９のいずれか一項に記載の冷却装置において、
前記基板は、
前記第１面側の第１基板と、
前記第２面側の第２基板と、
前記第１基板と、前記第２基板との間に位置し、前記第２基板の中心軸を回転軸とし、当該第２基板を前記回転軸に沿う方向に回転させる回転装置と、を備えることを特徴とする冷却装置。
【請求項１２】
請求項７に記載の冷却装置において、
前記筐体内に収容され、前記冷却気体を前記排出口に向けて流通させる第２冷却ファンを備え、
前記第２冷却ファンは、複数の第２羽根部材を有し、
前記複数の第２羽根部材は、前記第２面における前記第１放熱部を囲むことを特徴とする冷却装置。
【請求項１３】
請求項１２に記載の冷却装置において、
前記複数の第１羽根部材及び前記複数の第２羽根部材のそれぞれは、同方向に回転し、
前記複数の第１羽根部材の回転速度は、前記複数の第２羽根部材の回転速度よりも高いことを特徴とする冷却装置。
【請求項１４】
請求項１３に記載の冷却装置において、
前記複数の第１羽根部材及び前記複数の第２羽根部材のそれぞれは、前記第２面側から見て、略同方向に湾曲していることを特徴とする冷却装置。
【請求項１５】
冷却対象の熱が伝達される伝達領域を有する基板と、
前記基板において前記伝達領域が位置する第１面及び前記第１面とは反対側の第２面のいずれかに設けられ、前記伝達領域を介して前記基板に伝達された熱を放熱する第１放熱部と、
前記基板及び前記第１放熱部を収容する筐体と、を備え、
前記第１放熱部の少なくとも一部は、前記伝達領域の外側に位置し、
前記第１放熱部は、冷却気体を当該第１放熱部に沿って前記基板の外周側に流通させる流路を有し、
前記筐体は、
前記筐体内に前記冷却気体を導入する導入口と、
前記第１放熱部を流通した前記冷却気体を前記筐体外に排出する排出口と、を有し、
前記伝達領域は、前記筐体内における前記冷却気体の流速が最も高い前記第１面の部位に位置することを特徴とする冷却装置。
【請求項１６】
請求項１から請求項１５のいずれか一項に記載の冷却装置と、
光を出射する光源と、を備え、
前記光源は、前記冷却対象であることを特徴とする光源装置。
【請求項１７】
請求項１６に記載の光源装置と、
前記光源装置から出射された光を変調する光変調装置と、
前記光変調装置により変調された光を投射する投射光学装置と、を備えることを特徴とするプロジェクター。
【発明の詳細な説明】
【技術分野】
【０００１】
本発明は、冷却装置、光源装置及びプロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている。このようなプロジェクターに用いられる光源装置として、固体光源及び蛍光体層を有する光源装置が知られている（例えば、特許文献１参照）。
【先行技術文献】
【特許文献】
【０００３】
【特許文献１】特開２０１６−１１８６０４号公報
【発明の概要】
【発明が解決しようとする課題】
【０００４】
ところで、近年、光源装置に用いられる光源として、レーザー光を出射する光源が用いられている。このような光源は、高温になりやすいため、当該光源等の冷却対象を効率よく冷却できる構成が求められている。
【０００５】
本発明は、上記課題の少なくとも１つを解決することを目的としたものであり、冷却効率を向上できる冷却装置、光源装置及びプロジェクターを提供することを目的の１つとする。
【課題を解決するための手段】
【０００６】
本発明の第１態様に係る冷却装置は、冷却対象の熱が伝達される伝達領域を有する基板と、前記基板において前記伝達領域が位置する第１面、及び、前記第１面とは反対側の第２面のいずれかに設けられ、前記基板に伝達された熱を放熱する第１放熱部と、を備え、前記第１放熱部の少なくとも一部は、前記伝達領域の外側に位置し、前記第１放熱部は、前記伝達領域に対向して位置し、前記第１放熱部内に冷却気体を導入する導入部と、前記導入部を介して導入された前記冷却気体を前記第１放熱部に沿って前記基板の外周側に流通させる流路と、を有することを特徴とする。
【０００７】
なお、上記冷却対象としては、レーザー光を出射する固体光源の他、蛍光体、拡散反射層等を例示できる。また、上記導入部としては、冷却気体が流入する空間を例示できる。
ここで、基板において最も熱が高くなる領域は、冷却対象からの熱が伝達される伝達領域であり、当該伝達領域に伝達された熱が当該基板を介して第１放熱部に伝達される。このため、第１放熱部の温度は、伝達領域の温度よりも低く、当該伝達領域の温度が低下すれば、第１放熱部の温度も低下する。
上記第１態様によれば、導入部を介して導入された冷却気体が導入部に流通した後、第１放熱部の流路を流通するので、基板において冷却対象の熱が最も伝達されやすい伝達領域を、冷却気体により冷却できる。また、伝達領域の温度を当該冷却気体により冷却できるので、当該伝達領域から基板を介して第１放熱部に伝達される熱量を低減できる。また、基板において温度が最も高い部位である伝達領域に、冷却気体を効率良く流通させることができ、かつ、第１放熱部も合わせて冷却できる。従って、冷却対象の熱を放熱することにより、冷却対象の冷却効率を向上できる。
【０００８】
上記第１態様では、前記冷却対象から受熱し、前記伝達領域と接続される受熱部を有し、前記第１放熱部は、前記第２面に位置することが好ましい。
このような構成によれば、冷却対象が受熱部を介して基板に固定されるので、当該受熱部の大きさ（基板に当接する面積）を調整することにより、上記伝達領域の面積を調整できる。これによれば、上記冷却気体が流通する流路の形状に合わせて、受熱部の大きさを調整することにより、冷却対象の冷却効率を向上できる。
【０００９】
上記第１態様では、前記基板及び前記第１放熱部を収容する筐体を有し、前記筐体は、前記導入部に対向する位置に開口し、前記筐体内に前記冷却気体を導入する導入口と、前記第１放熱部を流通した前記冷却気体を前記筐体外に排出する排出口と、を有することが好ましい。
このような構成によれば、筐体内に基板及び第１放熱部が収容されるので、当該筐体内に上記導入口から冷却気体が流入され、当該冷却気体が上記導入部及び第１放熱部を確実に流通する。また、上記伝達領域及び第１放熱部を流通した冷却気体は、当該筐体の内周面に沿って流通し、上記排出口から排出（流出）される。これによれば、冷却気体により伝達領域及び第１放熱部を冷却することにより冷却対象を確実に冷却し、かつ、当該伝達領域（導入部）及び第１放熱部を冷却した冷却気体を排出口から流出させることにより、冷却気体が筐体内に滞留することを抑制できる。従って、冷却対象の冷却効率をより向上できる。
【００１０】
上記第１態様では、前記筐体は、開口部を有することが好ましい。
このような構成によれば、筐体内に位置する伝達領域又は受熱部に、開口部を介して上記冷却対象を接続できる。また、当該開口部を介して上記冷却対象が上記筐体内に位置する場合には、当該冷却対象に冷却気体を直接流通させることができるので、より冷却対象を効率よく冷却できる。
【００１１】
上記第１態様では、前記筐体内に収容され、前記冷却気体を前記第１放熱部に流通させる第１冷却ファンを備えることが好ましい。
上記第１冷却ファンとしては、シロッコファンを例示できる。
このような構成によれば、第１冷却ファンにより冷却気体を上記導入口から確実に筐体内に導入できる。また、第１冷却ファンが筐体内に収容されているので、当該第１冷却ファンが、例えば、筐体外に位置する場合に比べて、当該冷却装置を小型化できる。従って、冷却対象の冷却効率を更に向上でき、かつ、冷却装置を小型化できる。
【００１２】
上記第１態様では、前記第１冷却ファンは、前記導入部に位置することが好ましい。
このような構成によれば、第１冷却ファンにより導入口から流入された冷却気体は、流速が最も高い状態にて、導入部に流通するので、伝達領域の熱を当該冷却気体により確実に冷却できる。従って、冷却対象の冷却効率を更に向上できる。
【００１３】
上記第１態様では、前記第１放熱部は、前記第２面における前記第１冷却ファンを囲むことが好ましい。
このような構成によれば、基板の第２面において第１放熱部が第１冷却ファンを囲む位置に位置するので、第１冷却ファンにより導入口から流入された冷却気体が導入部を流通した後、第１放熱部を流通する。これによれば、冷却気体が第１放熱部を確実に流通するので、第１放熱部による冷却対象の熱の放熱効率を向上できる。
【００１４】
上記第１態様では、前記第１冷却ファンは、複数の第１羽根部材と、前記複数の第１羽根部材を回転させる駆動装置と、を有し、前記複数の第１羽根部材は、前記第２面における前記第１放熱部を囲むことが好ましい。
このような構成によれば、第１冷却ファンの複数の第１羽根部材が第２面における第１放熱部を囲むように配置されているので、上記導入口から流入された冷却気体が伝達領域を流通する可能性が高まる。これによれば、第１冷却ファンが導入部に位置する場合に比べて、伝達領域を確実に冷却できるので、冷却装置の冷却効率を更に向上させることができる。
【００１５】
上記第１態様では、前記第１放熱部を流通した前記冷却気体が前記排出口から排出される際に流通する第２放熱部を備えることが好ましい。
このような構成によれば、導入部及び第１放熱部を流通した冷却気体が、更に第２放熱部を流通するので、冷却対象の熱を第１放熱部のみならず、第２放熱部においても放熱できる。従って、冷却対象の冷却効率を更に向上できる。
【００１６】
上記第１態様では、前記基板の中心軸を回転軸とし、当該基板を前記回転軸に沿う方向に回転させる回転装置を有することが好ましい。
このような構成によれば、回転装置の駆動により基板、ひいては、当該基板に位置する第１放熱部が回転するので、第１冷却ファンにより導入口から流入された冷却気体が放熱部の流路を流通する際に、当該回転方向に流通する。これによれば、第１放熱部の流路を流通した冷却気体が上記方向に流通することにより、スムースに当該冷却気体が排出口に向けて流通する。従って、筐体内に導入部及び第１放熱部を流通した冷却気体が滞留することを抑制できる。
【００１７】
上記第１態様では、前記基板は、前記第１面側の第１基板と、前記第２面側の第２基板と、前記第１基板と、前記第２基板との間に位置し、前記第２基板の中心軸を回転軸とし、当該第２基板を前記回転軸に沿う方向に回転させる回転装置と、を備えることが好ましい。
このような構成によれば、回転装置の駆動により第２基板、ひいては、当該第２基板に位置する第１放熱部が回転するので、第１冷却ファンにより導入口から流入された冷却気体が放熱部の流路を流通する際に、当該回転方向側に流通する。これによれば、第１放熱部の流路を流通した冷却気体が上記方向に流通することにより、スムースに当該冷却気体が排出口に向けて流通する。
また、第１基板と第２基板との間に回転装置が位置することから、冷却対象と回転装置とが当接しないので、回転装置の駆動による熱によって、当該冷却対象の温度が上昇することを抑制できる。従って、冷却対象の冷却効率を更に向上できる。
【００１８】
上記第１態様では、前記筐体内に収容され、前記冷却気体を前記排出口に向けて流通させる第２冷却ファンを備え、前記第２冷却ファンは、複数の第２羽根部材を有し、前記複数の第２羽根部材は、前記第２面における前記第１放熱部を囲むことが好ましい。
このような構成によれば、第１冷却ファンにより導入口から流入され、導入部及び第１放熱部を流通した冷却気体が、第２冷却ファンにより筐体の内周面に向けて、当該第２冷却ファンの回転方向に向けて流出される。これによれば、上記導入部及び第１放熱部を流通した冷却気体が排出口に向けて、筐体の内周面に沿ってスムースに流通される。従って、筐体内に導入部及び第１放熱部を流通した冷却気体が滞留することをより抑制できる。
【００１９】
上記第１態様では、前記複数の第１羽根部材及び前記複数の第２羽根部材のそれぞれは、同方向に回転し、前記複数の第１羽根部材の回転速度は、前記複数の第２羽根部材の回転速度よりも高いことが好ましい。
ここで、第１冷却ファンの複数の第１羽根部材の回転速度が、第１放熱部を挟んで外側に位置する第２冷却ファンの複数の第２羽根部材の回転速度より低い場合、第１冷却ファン近傍の内部圧力が低下するので、導入部及び第１放熱部に冷却気体を効率よく流通させることができない。また、複数の第１羽根部材の回転方向と、複数の第２羽根部材の回転方向とが異なる場合、第１冷却ファン及び第１放熱部を流通した冷却気体が、第２冷却ファンにより異なる方向に流通させられる可能性があることから、導入部及び第１放熱部を冷却した冷却気体が効率よく筐体の排出口に向けて流通しない可能性がある。
これに対し、このような構成によれば、第１冷却ファン及び第２冷却ファンのそれぞれが同方向に回転し、かつ、複数の第１羽根部材の回転速度が複数の第２羽根部材の回転速度よりも高いので、導入部及び第１放熱部を冷却した冷却気体を排出口に向けて筐体の内周面をよりスムースに流通させることができる。従って、筐体内に導入部及び第１放熱部を流通した冷却気体が滞留することを更に抑制できる。
【００２０】
上記第１態様では、前記複数の第１羽根部材及び前記複数の第２羽根部材のそれぞれは、前記第２面側から見て、略同方向に湾曲していることが好ましい。
ここで、第１冷却ファンが有する複数の第１羽根部材の湾曲方向と、第２冷却ファンが有する複数の第２羽根部材の湾曲方向が異なる場合に、これらが同方向に回転すると、第１冷却ファンから流出される冷却気体の流出方向と、第２冷却ファンから流出される冷却気体の流出方向とが略同方向とならないので、筐体内に導入部及び第１放熱部を流通した冷却気体が滞留する可能性がある。
これに対し、このような構成では、第１冷却ファンから流出され、導入部及び第１放熱部を冷却した冷却気体の流出方向と、第２冷却ファンにより流出される当該冷却気体の流出方向が略同じとなるので、当該冷却気体を筐体の内周面に沿って、よりスムースに流通させることができる。従って、筐体内に導入部及び第１放熱部を流通した冷却気体が滞留することを確実に抑制できる。
【００２１】
本発明の第２態様に係る冷却装置は、冷却対象の熱が伝達される伝達領域を有する基板と、前記基板において前記伝達領域が位置する第１面及び前記第１面とは反対側の第２面のいずれかに設けられ、前記伝達領域を介して前記基板に伝達された熱を放熱する第１放熱部と、前記基板及び前記第１放熱部を収容する筐体と、を備え、前記第１放熱部の少なくとも一部は、前記伝達領域の外側に位置し、前記第１放熱部は、冷却気体を当該第１放熱部に沿って前記基板の外周側に流通させる流路を有し、前記筐体は、前記筐体内に前記冷却気体を導入する導入口と、前記第１放熱部を流通した前記冷却気体を前記筐体外に排出する排出口と、を有し、前記伝達領域は、前記筐体内における前記冷却気体の流速が最も高い前記第１面の部位に位置することを特徴とする。
【００２２】
上記第２態様によれば、筐体内に基板及び第１放熱部が収容されるので、当該筐体内に上記導入口から冷却気体が流入され、当該筐体内を流通する。また、このような筐体内において、基板の第１面における冷却気体の流速が最も高い部位に冷却対象が位置するので、確実に冷却対象を冷却できる。これによれば、冷却気体により冷却対象を確実に冷却し、かつ、当該冷却対象を冷却した冷却気体を排出口から流出させることにより、冷却対象を冷却した冷却気体が筐体内に滞留することを抑制できる。従って、冷却対象の冷却効率を向上できる。
【００２３】
本発明の第３態様に係る光源装置は、上記冷却装置と、光を出射する光源と、を備え、前記光源は、前記冷却対象であることを特徴とする。
上記第３態様によれば、上記第１及び第２態様に係る冷却装置と同様の効果を奏することができる。また、光源を上記冷却装置により冷却できるので、安定した光を出射できる光源装置、すなわち、信頼性の高い光源装置を提供することができる。
【００２４】
本発明の第４態様に係るプロジェクターは、上記光源装置と、前記光源装置から出射された光を変調する光変調装置と、前記光変調装置により変調された光を投射する投射光学装置と、を備えることを特徴とする。
上記第４態様によれば、上記第３態様に係る光源装置と同様の効果を奏することができる。また、光源装置からより安定された光が出射されるので、当該プロジェクターからも安定して画像光を出射させることができる。従って、信頼性の高いプロジェクターを提供することができる。
【図面の簡単な説明】
【００２５】
【図１】本発明の第１実施形態に係るプロジェクターの外観を示す斜視図。
【図２】上記第１実施形態における装置本体の構成を示す模式図。
【図３】上記第１実施形態における照明装置の構成を示す模式図。
【図４】上記第１実施形態における冷却装置の分解斜視図。
【図５】上記第１実施形態における冷却装置をアレイ光源が取り付けられる側から見た斜視図。
【図６】上記第１実施形態における筐体を構成する第１ケース内に基板及び第１放熱部が位置する例を示す図。
【図７】上記第１実施形態における冷却装置の筐体を構成する第２ケースを取り外した状態を示す図。
【図８】上記第１実施形態における冷却装置の断面図。
【図９】上記第１実施形態における冷却装置の組立途中の様子を示す図。
【図１０】上記第１実施形態の第１変形例に係る冷却装置を示す断面図。
【図１１】上記第１実施形態の第２変形例に係る冷却装置を示す断面図。
【図１２】上記第１実施形態の第３変形例に係る冷却装置を示す断面図。
【図１３】上記第１実施形態の第４変形例に係る冷却装置を示す断面図。
【図１４】本発明の第２実施形態に係るプロジェクターの冷却装置を示す断面図。
【図１５】上記第２実施形態の第１変形例に係る冷却装置を示す断面図。
【図１６】本発明の第３実施形態に係るプロジェクターの冷却装置を示す断面図。
【図１７】上記第３実施形態に係る冷却装置の拡大図。
【図１８】本発明の第４実施形態に係るプロジェクターの冷却装置を示す断面図。
【図１９】上記第４実施形態に係る冷却装置の断面図。
【図２０】本発明の第５実施形態に係るプロジェクターの冷却装置を示す断面図。
【図２１】上記第５実施形態に係る冷却装置の断面図。
【発明を実施するための形態】
【００２６】
［第１実施形態］
以下、本発明の第１実施形態について、図面に基づいて説明する。
［プロジェクターの概略構成］
図１は、本実施形態に係るプロジェクター１の外観を示す斜視図である。
本実施形態に係るプロジェクター１は、後述する照明装置４１から出射された光を変調して画像情報に応じた画像を形成し、形成された画像をスクリーン等の被投射面ＰＳ上に拡大投射する投射型画像表示装置である。このプロジェクター１は、図１に示すように、外装を構成する外装筐体２と、当該外装筐体２内に収容配置される装置本体３（図２参照）と、を備える。
このようなプロジェクター１の冷却装置６は、詳しくは後述するが、冷却対象（アレイ光源４１１Ａ）の熱が伝達される伝達領域Ａｒ１を有する基板６２と、基板６２において伝達領域Ａｒ１が位置する第１面６２１とは反対側の第２面６２２に設けられ、伝達領域Ａｒ１を介して基板６２に伝達された熱を放熱する第１放熱部６３と、を備える。そして、第１放熱部６３の少なくとも一部は、伝達領域Ａｒ１の外側に位置し、第１放熱部６３は、伝達領域Ａｒ１側の部位に位置し、第１放熱部６３内に冷却気体を導入する導入部ＩＳと、導入部ＩＳを介して導入された冷却気体を第１放熱部６３に沿って基板６２の外周側に流通させる流路ＦＰと、を有する（図４及び図８参照）ことを特徴の１つとしている。
以下、プロジェクター１の構成について説明する。
【００２７】
［外装筐体の構成］
外装筐体２は、それぞれ合成樹脂により形成されたアッパーケース２Ａ、ロアーケース２Ｂ、フロントケース２Ｃ及びリアケース２Ｄが組み合わされて、略直方体形状に構成されている。このような外装筐体２は、天面部２１、底面部２２、正面部２３、背面部２４、左側面部２５及び右側面部２６を有する。
【００２８】
底面部２２には、プロジェクター１が載置面に載置される場合に当該載置面に接触する脚部２２１（図１では２つの脚部２２１のみ図示）が、複数箇所に設けられている。
正面部２３の中央部分には、後述する投射光学装置４６の端部４６１を露出させ、当該投射光学装置４６により投射される画像が通過する開口部２３１が形成されている。
また、正面部２３において左側面部２５側の位置には、外装筐体２内の熱を帯びた冷却気体が排出される排気口２３２が形成されている。
右側面部２６には、外部の空気を冷却気体として内部に導入する導入口２６１が形成されている。
【００２９】
［装置本体の構成］
図２は、装置本体３の構成を示す模式図である。
装置本体３は、図２に示すように、画像投射装置４を備える。更に、図示を省略するが、装置本体３は、プロジェクター１の動作を制御する制御装置、プロジェクター１を構成する電子部品に電力を供給する電源装置、及び、冷却対象を冷却する冷却装置を備える。
【００３０】
［画像投射装置の構成］
画像投射装置４は、上記制御装置から入力される画像信号に応じた画像を形成して、上記被投射面ＰＳ上に投射する。この画像投射装置４は、照明装置４１、色分離装置４２、平行化レンズ４３、光変調装置４４、色合成装置４５及び投射光学装置４６を備える。
これらのうち、照明装置４１は、光変調装置４４を均一に照明する照明光ＷＬを出射する。この照明装置４１の構成については、後に詳述する。
【００３１】
色分離装置４２は、照明装置４１から入射される照明光ＷＬから青色光ＬＢ、緑色光ＬＧ及び赤色光ＬＲを分離する。この色分離装置４２は、ダイクロイックミラー４２１，４２２、反射ミラー４２３，４２４，４２５及びリレーレンズ４２６，４２７と、これらを内部に収容する光学部品用筐体４２８と、を備える。
ダイクロイックミラー４２１は、上記照明光ＷＬに含まれる青色光ＬＢを透過させ、緑色光ＬＧ及び赤色光ＬＲを反射させる。このダイクロイックミラー４２１を透過した青色光ＬＢは、反射ミラー４２３にて反射され、平行化レンズ４３（４３Ｂ）に導かれる。
ダイクロイックミラー４２２は、上記ダイクロイックミラー４２１にて反射された緑色光ＬＧ及び赤色光ＬＲのうち、緑色光ＬＧを反射させて平行化レンズ４３（４３Ｇ）に導き、赤色光ＬＲを透過させる。この赤色光ＬＲは、リレーレンズ４２６、反射ミラー４２４、リレーレンズ４２７及び反射ミラー４２５を介して、平行化レンズ４３（４３Ｒ）に導かれる。
平行化レンズ４３（赤、緑及び青の各色光用の平行化レンズを、それぞれ４３Ｒ，４３Ｇ，４３Ｂとする）は、入射される光を平行化する。
【００３２】
光変調装置４４（赤、緑及び青の各色光用の光変調装置を、それぞれ４４Ｒ，４４Ｇ，４４Ｂとする）は、それぞれ入射される上記色光ＬＲ，ＬＧ，ＬＢを変調して、制御装置から入力される画像信号に応じた色光ＬＲ，ＬＧ，ＬＢに基づく画像を形成する。これら光変調装置４４のそれぞれは、例えば、入射される光を変調する液晶パネルと、当該液晶パネルの入射側及び出射側のそれぞれに配置される偏光板と、を備えて構成される。
色合成装置４５は、各光変調装置４４Ｒ，４４Ｇ，４４Ｂから入射される色光ＬＲ，ＬＧ，ＬＢに基づく画像を合成する。この色合成装置４５は、本実施形態では、クロスダイクロイックプリズムにより構成されているが、複数のダイクロイックミラーによって構成することも可能である。
投射光学装置４６は、色合成装置４５にて合成された画像を上記被投射面ＰＳに拡大投射する。このような投射光学装置４６として、例えば、鏡筒と、当該鏡筒内に配置される複数のレンズとにより構成される組レンズを採用できる。
【００３３】
［照明装置の構成］
図３は、照明装置４１の構成を示す模式図である。
照明装置４１は、本発明の光源装置に相当し、照明光ＷＬを色分離装置４２に向けて出射する。この照明装置４１は、図３に示すように、光源部４１１、アフォーカル光学装置４１２、ホモジナイザー光学装置４１３、偏光分離装置４１４、位相差板４１５、ピックアップ光学装置４１６、波長変換装置５、インテグレーター光学装置４１７、偏光変換素子４１８、重畳レンズ４１９及び冷却装置６を備える。
これらのうち、光源部４１１、アフォーカル光学装置４１２及びホモジナイザー光学装置４１３は、第１照明光軸Ａｘ１上に配置されている。一方、位相差板４１５、ピックアップ光学装置４１６、波長変換装置５、インテグレーター光学装置４１７、偏光変換素子４１８及び重畳レンズ４１９は、第１照明光軸Ａｘ１に直交する第２照明光軸Ａｘ２上に配置される。そして、偏光分離装置４１４は、第１照明光軸Ａｘ１と第２照明光軸Ａｘ２との交差部分に配置される。
【００３４】
光源部４１１は、アフォーカル光学装置４１２に向けて、青色光である励起光ＥＬを出射する。この光源部４１１は、光源としてのアレイ光源４１１Ａと、当該アレイ光源４１１Ａから出射された励起光ＥＬが入射されるコリメーター光学装置４１１Ｂと、を備える。
アレイ光源４１１Ａは、本発明の光源に相当し、第１照明光軸Ａｘ１に対する直交面内に複数の半導体レーザー４１１１がアレイ状に配列された構成を有する。これら半導体レーザー４１１１は、例えば、４４０〜４８０ｎｍの波長域にピーク波長を有する励起光ＥＬ（青色光）を出射するＬＤ（Laser Diode）である。また、半導体レーザー４１１１から出射される励起光ＥＬは、コヒーレントな直線偏光であり、偏光分離装置４１４に向けて第１照明光軸Ａｘ１と平行に出射される。なお、本実施形態では、各半導体レーザー４１１１が出射する励起光ＥＬの偏光方向は、偏光分離装置４１４の偏光分離層４１４３にて反射される偏光成分の偏光方向と一致しており、当該励起光ＥＬはｓ偏光である。
なお、このようなアレイ光源４１１Ａには、当該アレイ光源４１１Ａを冷却する冷却装置６が取り付けられている。この冷却装置６の構成については、後に詳述する。
【００３５】
コリメーター光学装置４１１Ｂは、アレイ光源４１１Ａから入射される励起光ＥＬを平行光に変換する。このコリメーター光学装置４１１Ｂは、例えば各半導体レーザー４１１１に対応してアレイ状に配置された複数のコリメーターレンズ４１１２を備えて構成される。このようなコリメーター光学装置４１１Ｂを通過して平行光に変換された励起光ＥＬは、アフォーカル光学装置４１２に入射される。
【００３６】
アフォーカル光学装置４１２は、コリメーター光学装置４１１Ｂから入射された励起光ＥＬの光束径を調整する。このアフォーカル光学装置４１２は、集光レンズ４１２１及び平行化レンズ４１２２を備える。このようなアフォーカル光学装置４１２を通過して光束径が調整された励起光ＥＬは、ホモジナイザー光学装置４１３に入射される。
【００３７】
ホモジナイザー光学装置４１３は、後述するピックアップ光学装置４１６と協同して、波長変換装置５の照明領域における励起光ＥＬの照度分布を均一化する。このホモジナイザー光学装置４１３は、第１照明光軸Ａｘ１に対する直交面にそれぞれ複数の小レンズがマトリクス状に配列されたマルチレンズアレイ４１３１，４１３２を備える。このようなホモジナイザー光学装置４１３から出射された励起光ＥＬは、偏光分離装置４１４に入射される。
【００３８】
偏光分離装置４１４は、ｐ偏光及びｓ偏光のうち、一方の偏光光を通過させ、他方の偏光光を反射させるものである。この偏光分離装置４１４は、それぞれ略三角柱形状に形成されたプリズム４１４１，４１４２を備え、全体略直方体形状に形成された、いわゆるプリズム型の偏光ビームスプリッター（ＰＢＳ：Polarizing Beam Splitter）として構成されている。これらプリズム４１４１，４１４２の界面は、それぞれ第１照明光軸Ａｘ１及び第２照明光軸Ａｘ２に対して４５°の角度で傾斜しており、当該界面には、偏光分離層４１４３が配置されている。
【００３９】
偏光分離層４１４３は、励起光ＥＬに含まれるｓ偏光とｐ偏光とを分離する特性を有する他、後述する波長変換装置５にて生じた蛍光を、当該蛍光の偏光状態に依らずに透過させる特性を有する。すなわち、偏光分離層４１４３は、青色光領域の波長帯の光についてはｓ偏光とｐ偏光とを分離するが、緑色光領域及び赤色光領域の波長帯の光についてはｓ偏光及びｐ偏光のそれぞれを透過させる、波長選択性の偏光分離特性を有する。
このような偏光分離装置４１４は、入射されたｓ偏光の励起光ＥＬを、第２照明光軸Ａｘ２に沿って位相差板４１５側に反射させる。また、詳しくは後述するが、偏光分離装置４１４は、位相差板４１５側から入射される蛍光とｐ偏光の励起光とを透過させ、これら蛍光及び励起光（青色光）を合成してインテグレーター光学装置４１７に入射させる。
なお、偏光分離装置４１４は、プリズム型に限らず、プレート型でもよい。
【００４０】
位相差板４１５は、１／４波長板である。この位相差板４１５は、偏光分離装置４１４から入射されるｓ偏光の励起光ＥＬｓを円偏光の励起光ＥＬｃに変換し、当該円偏光の励起光ＥＬｃをピックアップ光学装置４１６に入射させる。
ピックアップ光学装置４１６は、位相差板４１５から入射される励起光ＥＬｃを波長変換装置５に集光する。このピックアップ光学装置４１６は、２つのレンズ４１６１，４１６２を有する。
なお、本実施形態では、ピックアップ光学装置４１６は、２つのレンズ４１６１，４１６２を備えることとしたが、当該ピックアップ光学装置４１６を構成するレンズの数は２に限らず、１でも３以上でもよい。
【００４１】
波長変換装置５は、ピックアップ光学装置４１６から入射される青色光である励起光ＥＬｃ（第１波長帯の光）の一部を拡散反射させるとともに、他の一部を緑色光及び赤色光を含む蛍光（第２波長帯の光）に変換して出射する。この波長変換装置５にて生成される蛍光は、本実施形態では、５００〜７００ｎｍの波長域にピーク波長を有する光である。
このような波長変換装置５から出射された励起光ＥＬｃ及び蛍光（図４参照）を含む照明光ＷＬは、ピックアップ光学装置４１６を介して、位相差板４１５に入射される。
【００４２】
これらのうち、励起光ＥＬｃは、波長変換装置５にて反射されるときに、当該波長変換装置５に入射された円偏光とは逆回りの円偏光となり、位相差板４１５を再度通過する過程にて、当該逆回りの円偏光の励起光ＥＬｃは、ｓ偏光に対して偏光方向が９０°回転されたｐ偏光の励起光に変換される。このｐ偏光の励起光は、上記偏光分離装置４１４を第２照明光軸Ａｘ２に沿って通過して、インテグレーター光学装置４１７に青色光として入射される。
一方、波長変換装置５から出射された蛍光は非偏光光であり、偏光分離層４１４３が上記波長選択性の偏光分離特性を有することから、ピックアップ光学装置４１６及び位相差板４１５を通過した後、第２照明光軸Ａｘ２に沿って偏光分離装置４１４を通過して、インテグレーター光学装置４１７に緑色光及び赤色光として入射される。
これにより、白色の照明光ＷＬが、偏光分離装置４１４を介してインテグレーター光学装置４１７に入射される。
【００４３】
インテグレーター光学装置４１７は、重畳レンズ４１９と協同して、光変調装置４４における照明光ＷＬの照度分布を均一化する。このインテグレーター光学装置４１７は、上記ホモジナイザー光学装置４１３と同様に、第２照明光軸Ａｘ２に対する直交面内にそれぞれ複数の小レンズがマトリクス状に配列されたレンズアレイ４１７１，４１７２を備える。このようなインテグレーター光学装置４１７から出射された照明光ＷＬは、偏光変換素子４１８に入射する。
偏光変換素子４１８は、入射される照明光ＷＬの偏光方向を揃える機能を有する。この偏光変換素子４１８から出射された照明光ＷＬは、重畳レンズ４１９に入射する。
そして、当該重畳レンズ４１９を介した照明光ＷＬは、上記色分離装置４２のダイクロイックミラー４２１に入射される。
【００４４】
［冷却装置の構成］
図４は、冷却装置６の分解斜視図である。図５は、冷却装置６をアレイ光源４１１Ａが取り付けられる側から見た斜視図であり、図６は、筐体を構成する第１ケース内に基板及び第１放熱部が位置する例を示す図であり、図７は、冷却装置６の筐体を構成する第２ケースを取り外した状態を示す図であり、図８は、冷却装置６の断面図である。なお、図４及び当該図４より後の図においては、見易さを光量して、複数のフィン６３２の一部にのみ符号を付している。
冷却装置６は、上述したように、冷却対象であるアレイ光源４１１Ａに接続され、当該アレイ光源４１１Ａを冷却する機能を有する。この冷却装置６は、図４に示すように、受熱部６１、基板６２、第１放熱部６３、第１冷却ファン６４及び筐体６５を備える。
なお、以下の説明では、冷却装置６において、第１冷却ファン６４の回転軸に沿う方向のうち、基板６２の第１面６２１から第２面６２２に向かう方向を＋Ｙ方向とし、当該＋Ｙ方向に直交する方向であり、後述する排出口ＤＢが位置する方向を＋Ｚ方向とし、＋Ｙ方向とは反対方向を−Ｙ方向とし、＋Ｘ方向とは反対方向を−Ｘ方向として説明する。
【００４５】
［受熱部の構成］
受熱部６１は、＋Ｙ方向側から見て、後述する下部ケース６６における開口部６６１３よりも若干小さな面積の略矩形状に形成された平板状の部材である。この受熱部６１は、アレイ光源４１１Ａを支持する。また、このような受熱部６１は、熱伝達率が比較的高い金属（例えば、アルミニウム）により構成されている。また、受熱部６１の−Ｙ方向側の面は、図４、図５及び図８に示すように、アレイ光源４１１Ａに当接（固定）されている。なお、本実施形態では、アレイ光源４１１Ａは、受熱部６１に対して接着剤等により固定されているが、これに限らず、例えば、ねじ等の固定部材により固定されていてもよいし、基板６２と一体として設けられていてもよい。
これにより、受熱部６１は、アレイ光源４１１Ａの熱を受熱する。また、受熱部６１の＋Ｙ方向側の面は、図５及び図８に示すように、基板６２に固定される。
なお、本実施形態では、受熱部６１は、アルミニウムにより構成されているが、これに限らず、鉄や銅等、熱伝達率が比較的高い金属であれば、どのような金属でもよい。
【００４６】
［基板の構成］
基板６２は、＋Ｙ方向側から見て、略円形状に形成された平板状の部材であり、受熱部６１及び第１放熱部６３のそれぞれを支持する。この基板６２は、受熱部６１と同様、熱伝達率が比較的高い金属（例えば、アルミニウム）により構成されているので、当該基板６２は、受熱部６１から伝達された熱を第１放熱部６３に伝達する伝達領域材として機能する。このような基板６２は、図４及び図８に示すように、第１面６２１と、当該第１面とは反対側の面である第２面６２２と、を有する。
第１面６２１は、基板６２の−Ｙ方向側に位置する面であり、当該第１面６２１の略中央には、受熱部６１が固定されている。なお、本実施形態では、受熱部６１は、基板６２の第１面６２１に対して接着剤等により固定されているが、これに限らず、例えば、ねじ等の固定部材により固定されていてもよい。
【００４７】
一方、第２面６２２は、基板６２の＋Ｙ方向側に位置する面であり、当該第２面６２２には、図４及び図６〜８に示すように、第１放熱部６３が固定されている。このため、第１面６２１には、アレイ光源４１１Ａの熱が受熱部６１を介して伝達され、当該伝達された熱は、第２面６２２に伝達され、当該第２面６２２から第１放熱部６３に伝達される。
なお、以下では、図６及び図８に示すように、基板６２の第２面６２２における受熱部６１からの熱が最も伝達されやすい位置、すなわち、第２面６２２における受熱部６１に応じた部位近傍の領域（第２面６２２において第１放熱部６３が位置していない領域）を伝達領域Ａｒ１と呼ぶ場合がある。
【００４８】
［第１放熱部の構成］
第１放熱部６３は、基板６２の第２面６２２に固定され、当該基板６２にて生じた熱を冷却気体へと伝達させて、アレイ光源４１１Ａを冷却する。この第１放熱部６３は、上記受熱部６１及び基板６２と同様に、熱伝達率が比較的高い金属（例えば、アルミニウム）により構成されている。このような第１放熱部６３は、図４及び図６〜図８に示すように、基部６３１及び複数のフィン６３２を有する。
基部６３１は、＋Ｙ方向から見た場合に、略円環状に形成される板状部であり、当該基部６３１の外縁は、基板６２の外縁と一致する。このような基部６３１の＋Ｙ方向側の面には、各フィン６３２が位置し、当該基部６３１の−Ｙ方向側の面は、上記基板６２の第１面６２１に接着剤等により固定される。
【００４９】
複数のフィン６３２は、基板６２（基部６３１）の中心から外周に向かう方向に沿ってそれぞれ延出し、基板６２（基部６３１）の外周、換言すると、後述する第１冷却ファン６４の回転方向である＋Ｄ方向に沿って等間隔に配置され、かつ、上記中心側から外周側に向かうに従って＋Ｄ方向側に反る湾曲形状（円弧形状）を有する。このような複数のフィン６３２は、第２面６２２における第１冷却ファン６４を囲む部位に位置する。
また、複数のフィン６３２のうち、隣り合うフィン６３２により冷却気体の流路ＦＰが形成され、当該流路ＦＰ（各フィン７２間）を冷却気体が流通することにより、当該各フィン７２から上記アレイ光源４１１Ａの熱が放熱される。
なお、以下では、上記伝達領域Ａｒ１側に位置し、当該第１放熱部６３（複数のフィン６３２間）に冷却気体を導入する部位（伝達領域Ａｒ１に対向する（応じた）第２面６２２の＋Ｙ方向側に位置する空間）を導入部ＩＳと呼ぶ場合がある。
【００５０】
［第１冷却ファンの構成］
第１冷却ファン６４は、第１放熱部６３の複数のフィン６３２に囲まれる位置、すなわち、伝達領域Ａｒ１の＋Ｙ方向側の位置（上記導入部ＩＳ）に位置し、冷却気体を吸引して、当該冷却気体を第１放熱部６３の上記流路ＦＰに流通させる機能を有する。この第１冷却ファン６４は、図４、図７及び図８に示すように、吸引部６４１と駆動装置６４２を備える。これらのうち、吸引部６４１は、基部６４１１、複数の第１羽根部材６４１２及び開口部６４１３を有する。
基部６４１１は、＋Ｙ方向側から見た場合に、受熱部６１の内縁よりも若干小さな略円形状に形成される板状部である。このような基部６４１１の＋Ｙ方向側の面には、複数の第１羽根部材６４１２が位置している。
複数の第１羽根部材６４１２は、基部６４１１の中心から外周に向かう方向に沿ってそれぞれ延出し、基部６４１１の外周（換言すると、吸引部６４１の回転方向である＋Ｄ方向）に沿って等間隔に配置され、かつ、上記中心側から外周側に向かうに従って＋Ｄ方向側に反る湾曲形状（円弧形状）を有する。
開口部６４１３は、基部６４１１の略中央に位置し、＋Ｙ方向に突出する部位に形成されている。この開口部６４１３には、駆動装置６４２の本体部６４２１における回転軸（図示省略）が挿通される。
【００５１】
駆動装置６４２は、上記吸引部６４１を＋Ｚ方向に回転させる動力を発生させる。この駆動装置６４２は、本体部６４２１及び取付部６４２２を有する。
本体部６４２１は、上記開口部６４１３に接続される。また、取付部６４２２は、後述する筐体６５の上部ケース６７における平面部６７１２に取り付けられる。これにより、駆動装置６４２が上記上部ケース６７に固定され、当該駆動装置６４２の動力により吸引部６４１が＋Ｄ方向に回転する。
【００５２】
［筐体の構成］
筐体６５は、基板６２、第１放熱部６３及び第１冷却ファン６４を内部に収容する機能を有する。この筐体６５は、図４、図５及び図８に示すように、下部ケース６６及び上部ケース６７を有する。
【００５３】
［下部ケースの構成］
下部ケース６６は、上部ケース６７と組み合わされて上記筐体６５を構成する。この下部ケース６６は、図６及び図８に示すように、基板６２の第１面６２１を支持する。このような下部ケース６６は、支持部６６１及び起立部６６２を有する。
支持部６６１は、支持面６６１１及び延出面６６１２を有する。これらのうち、支持面６６１１は、上記基板６２の第１面６２１が当接する部位であり、上記基板６２を支持する。この支持面６６１１は、＋Ｙ方向側から見て、略円形状に形成されている。
また、当該支持面６６１１の略中央には、開口部６６１３が形成され、当該開口部６６１３からは、図５に示すように、上記基板６２に固定された受熱部６１及びアレイ光源４１１Ａが筐体６５外に露出する。すなわち、開口部６６１３には、冷却対象であるアレイ光源４１１Ａの一部が挿入される。
延出面６６１２は、支持面６６１１の＋Ｘ方向側の端部から連続して当該＋Ｚ方向に延出する部位である。この延出面６６１２は、排出口ＤＢの一部を構成する。
【００５４】
起立部６６２は、第１起立面６６２１及び第２起立面６６２２を有する。第１起立面６６２１は、上記支持面６６１１の外縁から＋Ｙ方向に向けて起立する面であり、上記伝達領域Ａｒ１及び第１放熱部６３を流通した冷却気体が流通する部位である。この第１起立面６６２１は、上記支持面６６１１の外縁の形状に沿う形状、すなわち、＋Ｙ方向側から見て円弧状に形成されている。このため、詳しくは後述するが、第１放熱部６３から流出された冷却気体は、当該第１起立面６６２１に沿ってスムースに排出口ＤＢに向けて流通する。
また、第２起立面６６２２は、延出面６６１２の外縁のうち、＋Ｘ方向側の外縁以外の部位から、＋Ｙ方向に向けて起立する面である。この第１起立面６６２１は、上述した延出面６６１２とともに、冷却気体を筐体６５外に流出させる排出口ＤＢを構成する。このため、第２起立面６６２２には、上記第１起立面６６２１を流通した冷却気体が流通する。
【００５５】
［上部ケースの構成］
上部ケース６７は、下部ケース６６と組み合わされて上記筐体６５を構成する。この上部ケース６７は、図８に示すように、第１冷却ファン６４を支持する。このような上部ケース６７は、支持面６７１及び延出面６７２を有する。これらのうち、支持面６７１の略中央には、上記第１冷却ファン６４の取付部６４２２が取り付けられる部位である平面部６７１２が位置し、当該平面部６７１２の周囲には、３つの導入口６７１１が形成されている。
また、延出面６７２は、支持面６７１の＋Ｘ方向側の端部から連続して当該＋Ｚ方向に延出する部位である。この延出面６７２は、上記下部ケース６６の延出面６６１２及び第２起立面６６２２とともに、排出口ＤＢを構成する。
【００５６】
［冷却装置の組立工程］
図９は、冷却装置６の組立途中の様子を示す断面図である。
冷却装置６は、例えば、以下の工程により組み立てられる。
まず、基板６２の第２面６２２に第１放熱部６３が固定される。そして、基板６２の第１面６２１に、アレイ光源４１１Ａに固定された受熱部６１を取り付け、下部ケース６６内に配置する。この際、下部ケース６６の支持部６６１に形成された開口部６６１３と、アレイ光源４１１Ａ及び受熱部６１とが重なる位置、すなわち、開口部６６１３からアレイ光源４１１Ａ及び受熱部６１が−Ｙ方向に突出するように下部ケース６６に基板６２の第１面６２１を接着剤等により固定する。
一方、第１冷却ファン６４は、上部ケース６７に固定される。具体的に、第１冷却ファン６４の駆動装置６４２における取付部６４２２を上部ケース６７の平面部６７１２に固定する。このようにして、第１冷却ファン６４が固定された上部ケース６７を下部ケース６６上に位置させ、これら上部ケース６７及び下部ケース６６を固定する。これにより、冷却装置６が組み立てられ、例えば、図８に示す状態となる。
【００５７】
このようにして組み合わされた筐体６５内では、図７に示すように、第１冷却ファン６４の周囲を囲むように第１放熱部６３が配置される。換言すると、筐体６５内において、第１冷却ファン６４の回転軸を中心に当該第１冷却ファン６４（吸引部６４１）及び第１放熱部６３が同心円状に配置される。
なお、第１冷却ファン６４は、図８に示すように、基板６２に当接していないので、当該基板６２により当該第１冷却ファン６４の回転が妨げられることが抑制され、上記伝達領域Ａｒ１に冷却気体が流通する。
【００５８】
［冷却気体の流通経路］
次に、冷却装置６を流通する冷却気体の流通経路について説明する。
まず、第１冷却ファン６４が駆動すると、図８に示すように、導入口６７１１を介して、伝達領域Ａｒ１に対向する位置（第２面６２２の＋Ｙ方向側に位置する空間である導入部ＩＳ）に冷却気体が流入（導入）される。そして、導入部ＩＳに流入した冷却気体は、第１冷却ファン６４の基部６４１１及び複数の第１羽根部材６４１２により基板６２の外周側へと流出される。この第１冷却ファン６４から基板６２の外周側へと流出された冷却気体は、第１放熱部６３の複数のフィン６３２間（流路ＦＰ）を流通する。これにより、当該流路ＦＰを流通した冷却気体は、当該各フィン６３２に沿って、＋Ｄ方向に向けて第１放熱部６３から当該基板６２の外側へと流出される。そして、当該第１放熱部６３から流出された冷却気体は、図７に示すように、＋Ｄ方向に向けて流出される。この冷却気体は、円弧状の第１起立面６６２１に沿って＋Ｘ方向へと流通し、第２起立面６６２２に沿って排出口ＤＢから、筐体６５外へと流出される。
【００５９】
このように、筐体６５内に流入された冷却気体は、伝達領域Ａｒ１に対向する位置（導入部ＩＳ）に流入されることにより、当該伝達領域Ａｒ１近傍を冷却した後、第１放熱部６３の各フィン６３２間（流路ＦＰ）を流通することから、アレイ光源４１１Ａが確実に冷却される。また、導入部ＩＳ及び第１放熱部６３を流通した冷却気体が＋Ｄ方向に沿って筐体６５内をスムースに流通し、排出口ＤＢから流出されるので、当該筐体６５内に冷却対象であるアレイ光源４１１Ａを冷却した冷却気体が滞留することを抑制している。
【００６０】
［第１実施形態の効果］
以上説明した本実施形態に係るプロジェクター１は、以下の効果を奏する。
ここで、基板６２において最も熱が高くなる領域は、冷却対象であるアレイ光源４１１Ａからの熱が伝達される伝達領域Ａｒ１であり、当該伝達領域Ａｒ１に伝達された熱が当該基板６２を介して第１放熱部６３に伝達される。このため、第１放熱部６３の温度は、伝達領域Ａｒ１の温度よりも低く、当該伝達領域Ａｒ１の温度が低下すれば、第１放熱部６３の温度も低下する。
本実施形態では、導入部ＩＳを介して導入された冷却気体が当該導入部ＩＳに流通した後、第１放熱部６３の流路ＦＰを流通するので、基板６２においてアレイ光源４１１Ａの熱が最も伝達されやすい伝達領域Ａｒ１を、冷却気体により冷却できる。また、伝達領域Ａｒ１の温度を当該冷却気体により冷却できるので、当該伝達領域Ａｒ１から基板６２を介して第１放熱部６３に伝達される熱量を低減できる。また、基板６２において温度が最も高い部位である伝達領域Ａｒ１に、フレッシュな冷却気体を流通させることができ、かつ、第１放熱部６３も合わせて冷却できる。従って、アレイ光源４１１Ａの熱を放熱することにより、当該アレイ光源４１１Ａの冷却効率を向上できる。
【００６１】
アレイ光源４１１Ａが受熱部６１を介して基板６２に固定されるので、当該受熱部６１の大きさ（基板６２に当接する面積）を調整することにより、上記伝達領域Ａｒ１の面積を調整できる。これによれば、上記冷却気体が流通する流路ＦＰの形状に合わせて、受熱部６１の大きさを調整することにより、アレイ光源４１１Ａの冷却効率をより向上できる。
【００６２】
筐体６５内に基板６２及び第１放熱部６３が収容されるので、当該筐体６５内に上記導入口６７１１から冷却気体が流入され、当該冷却気体が上記導入部ＩＳ及び第１放熱部６３を確実に流通する。また、伝達領域Ａｒ１及び第１放熱部６３を流通した冷却気体は、当該筐体６５の内周面（第１起立面６６２１）に沿って流通し、上記排出口ＤＢから排出（流出）される。これによれば、冷却気体により伝達領域Ａｒ１及び第１放熱部６３を冷却することにより冷却対象を確実に冷却し、かつ、当該伝達領域Ａｒ１（導入部ＩＳ）及び第１放熱部６３を冷却した冷却気体を排出口ＤＢから流出させることにより、冷却気体が筐体６５内に滞留することを抑制できる。従って、アレイ光源４１１Ａの冷却効率をより向上できる。
【００６３】
筐体６５がアレイ光源４１１Ａの少なくとも一部が挿入される開口部６６１３を有しているので、筐体６５内に位置する伝達領域Ａｒ１（基板６２）又は受熱部６１に、開口部６６１３を介してアレイ光源４１１Ａを接続できる。
【００６４】
第１冷却ファン６４が筐体６５内に位置するので、当該第１冷却ファン６４により冷却気体を上記導入口６７１１から確実に筐体６５内に導入できる。また、第１冷却ファン６４が、例えば、筐体６５外に位置する場合に比べて、当該冷却装置６を小型化できる。従って、アレイ光源４１１Ａの冷却効率を更に向上でき、かつ、冷却装置６を小型化できる。
【００６５】
第１冷却ファン６４は、導入部ＩＳに対向する部位に位置しているので、第１冷却ファン６４により導入口６７１１から流入された冷却気体は、流速が最も高い状態にて、導入部ＩＳに流通するので、伝達領域Ａｒ１の熱を当該冷却気体により確実に冷却できる。従って、アレイ光源４１１Ａの冷却効率を更に向上できる。
【００６６】
基板６２の第２面６２２において第１放熱部６３が第１冷却ファン６４を囲む位置に位置するので、第１冷却ファン６４により導入口６７１１から流入された冷却気体が導入部ＩＳを流通した後、第１放熱部６３を流通する。これによれば、冷却気体が第１放熱部６３を確実に流通するので、第１放熱部６３によるアレイ光源４１１Ａの熱の放熱効率を向上できる。
【００６７】
冷却装置６がアレイ光源４１１Ａに接続されていることから、アレイ光源４１１Ａを冷却装置６により冷却できるので、安定した光を出射できる照明装置４１、すなわち、信頼性の高い照明装置４１を提供することができる。
また、照明装置４１からより安定された光が出射されるので、当該プロジェクター１からも安定して画像光を出射させることができる。従って、信頼性の高いプロジェクター１を提供することができる。
【００６８】
［第１実施形態の第１変形例］
図１０は、第１実施形態の第１変形例に係る冷却装置６Ａを示す断面図である。なお、以下の説明では、第１実施形態の冷却装置６と同一及び略同一の構成については、同番号を付し、説明を省略する。
上記第１実施形態では、照明装置４１は、冷却装置６を備えることとしたが、これに限られない。例えば、照明装置４１は、上記冷却装置６に代えて、図１０に示す冷却装置６Ａを備えることとしてもよい。
冷却装置６Ａは、図１０に示すように、受熱部６１（図１０では図示略）、基板６２、第１冷却ファン６４及び筐体６５を備える他、第１放熱部６３に代えて、第１放熱部６３Ａを備える。
第１放熱部６３Ａは、２つの基部６３１Ａ及び複数のフィン６３２を有する。これらのうち、２つの基部６３１Ａは、＋Ｙ方向側から見て、略円弧状に形成されている。これら２つの基部６３１Ａのそれぞれは、第１冷却ファン６４を挟んで＋Ｘ方向に直交する方向に沿って、それぞれ対向するように配置されている。換言すると、第１放熱部６３Ａは、上記第１放熱部６３において＋Ｘ方向に沿う方向の一部が切り欠かれた形状である。
【００６９】
このような構成の冷却装置６Ａにおいて第１冷却ファン６４が駆動した場合であっても、冷却気体は、上記冷却装置６の場合と同様に、導入口６７１１を介して、伝達領域Ａｒ１に対向する位置（導入部ＩＳ）に冷却気体が流入（導入）される。そして、導入部ＩＳに流入した冷却気体は、第１冷却ファン６４により基板６２の外周側へと流出される。この第１冷却ファン６４から基板６２の外周側へと流出された冷却気体の一部は、第１放熱部６３Ａの複数のフィン６３２間（流路ＦＰ）を流通する。
一方、上記冷却気体のうち、第１放熱部６３Ａに向けて流出しなかった冷却気体、すなわち、第１放熱部６３Ａが位置しない領域に流通した冷却気体は、−Ｘ方向側の領域においては、第１起立面６６２１に直接流通し、上記流路ＦＰを流通した冷却気体と混ざり合い、当該第１起立面６６２１に沿って＋Ｄ方向（＋Ｘ方向）へと流通し、排出口ＤＢから筐体６５外へと排出される。
また、＋Ｘ方向側の領域においては、冷却気体は、排出口ＤＢに向けて流出し、筐体６５外へと排出される。
【００７０】
このような構成によれば、上記第１実施形態に係るプロジェクター１と同様の効果を奏することができる。また、本変形例では、第１放熱部６３Ａの一部が分断されているので、当該領域においては、第１冷却ファン６４からの冷却気体が第１放熱部６３Ａを流通することなく、上記第１起立面６６２１及び排出口ＤＢに向けて流通するので、伝達領域Ａｒ１（導入部ＩＳ）及び第１放熱部６３Ａを流通した冷却気体を効率よく筐体６５外に排出できる。従って、冷却装置６Ａによるアレイ光源４１１Ａの冷却効率を高めることができる。
【００７１】
なお、本変形例では、２つの基部６３１Ａのそれぞれは、互いに第１冷却ファン６４を挟んで＋Ｘ方向に直交する方向に沿って、それぞれが対向するように配置されていることとしたが、これに限らず、例えば、これら基部６３１Ａのそれぞれが、互いに第１冷却ファン６４を挟んで＋Ｘ方向に沿って、互いに対向するように配置されていてもよい。更に、第１放熱部６３Ａは、第１放熱部６３が２つに分断されたような形状であったが、これに限らず、例えば、第１放熱部６３Ａは、第１放熱部６３が３つ以上に分断されたような形状であってもよい。
【００７２】
［第１実施形態の第２変形例］
図１１は、第１実施形態の第２変形例に係る冷却装置６Ｂを示す断面図である。
上記第１実施形態では、照明装置４１は、冷却装置６を備えることとしたが、これに限られない。例えば、照明装置４１は、上記冷却装置６に代えて、図１１に示す冷却装置６Ｂを備えることとしてもよい。
冷却装置６Ｂは、図１１に示すように、受熱部６１（図１１では図示略）、第１冷却ファン６４及び筐体６５を備える他、基板６２に代えて基板６２Ｂを、第１放熱部６３に代えて、第１放熱部６３Ｂを備える。更に、冷却装置６Ｂは、第２放熱部６８を備える。
基板６２Ｂは、上記基板６２と略同形状に形成され、＋Ｘ方向に延びる延出部６２Ｂ１を有する。この延出部６２Ｂ１には、後述する基部６８１が位置する。
【００７３】
第１放熱部６３Ｂは、基部６３１Ｂ及び複数のフィン６３２を有する。これらのうち、基部６３１Ｂは、＋Ｙ方向側から見て、略円弧状に形成されている。換言すると、第１放熱部６３Ｂは、上記第１放熱部６３において＋Ｘ方向側の部位が切り欠かれた形状である。
第２放熱部６８は、基部６８１及び複数のフィン６８２を有する。これらのうち、基部６８１は、＋Ｙ方向側から見て、略矩形板状の部位である。この基部６８１は、基板６２Ｂの延出部６２Ｂ１に位置する。
このような基部６８１には、当該基部６８１から＋Ｙ方向側に起立する複数のフィン６８２が形成されている。これら複数のフィン６８２は、＋Ｘ方向に沿って延びる形状である。
【００７４】
このような構成の冷却装置６Ｂにおいて第１冷却ファン６４が駆動した場合であっても、冷却気体は、上記冷却装置６の場合と同様に、導入口６７１１を介して、伝達領域Ａｒ１に対向する位置（導入部ＩＳ）に冷却気体が流入（導入）される。そして、導入部ＩＳに流入した冷却気体は、第１冷却ファン６４により基板６２の外周側へと流出される。この第１冷却ファン６４から基板６２Ｂの外周側へと流出された冷却気体の一部は、第１放熱部６３Ｂの複数のフィン６３２間（流路ＦＰ）を流通し、＋Ｄ方向に第１起立面６６２１に沿って排出口ＤＢへと流通する。
一方、上記冷却気体のうち、第１放熱部６３Ｂに向けて流出しなかった冷却気体、すなわち、第１放熱部６３Ｂが位置しない＋Ｘ方向側に位置する領域に流通した冷却気体は、排出口ＤＢに向けて流出する。そして、第１放熱部６３Ｂの流路ＦＰを流通した冷却気体及び第１放熱部６３Ｂを流通しなかった冷却気体のそれぞれは、第２放熱部６８の複数のフィン６８２間を流通して、筐体６５外へと排出される。
【００７５】
このような構成によれば、上記第１実施形態に係るプロジェクター１と同様の効果を奏することができる。また、本変形例では、第１放熱部６３Ｂの一部が分断されている部分から排出口ＤＢに向けて流通する冷却気体は、第２放熱部６８の複数のフィン６８２間を流通して排出口ＤＢから流出されるので、筐体６５内に流入した冷却気体の殆どが放熱部として機能する複数のフィン６３２間及び複数のフィン６８２間のいずれかを流通するので、より確実にアレイ光源４１１Ａの熱を放熱できる。すなわち、導入部ＩＳ及び第１放熱部６３Ｂを流通した冷却気体が、更に、第２放熱部６８を流通するので、アレイ光源４１１Ａの熱を第１放熱部６３のみならず、第２放熱部６８においても放熱できる。従って、冷却装置６Ｂによるアレイ光源４１１Ａの冷却効率を高めることができる。
【００７６】
なお、本変形例では、基板６２に代えて基板６２Ｂを備えることとしたが、これに限らず、上記基板６２を備えることとしてもよい。この場合、基部６８１及び複数のフィン６８２は、下部ケース６６の延出面６６１２上に位置することとしてもよいし、上部ケース６７の延出面６７２上に位置することとしてもよい。すなわち、基部６８１及び複数のフィン６８２は、第１放熱部６３Ａの複数のフィン６３２間を流通した冷却気体が流通する位置であれば、筐体６５内のいずれの部位に位置してもよい。
【００７７】
［第１実施形態の第３変形例］
図１２は、第１実施形態の第３変形例に係る冷却装置６Ｃを示す断面図である。
上記第１実施形態では、照明装置４１は、冷却装置６を備えることとしたが、これに限られない。例えば、照明装置４１は、上記冷却装置６に代えて、図１２に示す冷却装置６Ｃを備えることとしてもよい。
上記冷却装置６では、第１放熱部６３及び第１冷却ファン６４のそれぞれは、第１冷却ファン６４の回転軸（下部ケース６６における略円形状に形成された支持部６６１の中心軸Ｃ）を中心とした同心円状に筐体６５内に配置されることとした。これに対し、冷却装置６Ｃは、図１２に示すように、上記第１冷却ファン６４よりも小型の第１冷却ファン６４Ｃを有する。この第１冷却ファン６４Ｃの回転軸は、上記中心軸Ｃよりも＋Ｘ方向に位置している。すなわち、第１冷却ファン６４Ｃは、伝達領域Ａｒ１及び導入部ＩＳ内における＋Ｘ方向側の位置に位置している。
【００７８】
このような構成においても、上記第１実施形態に係るプロジェクター１と同様の効果を奏することができる。また、本変形例では、第１冷却ファン６４Ｃが＋Ｘ方向側（排出口ＤＢ側）に位置しているため、第１冷却ファン６４Ｃにより基板６２の外周側に流出される冷却気体のうち、＋Ｘ方向側に流出する冷却気体の流速は、−Ｘ方向側に流出する冷却気体の流速よりも高くなる。このため、第１放熱部６３の＋Ｘ方向側において、アレイ光源４１１Ａからの熱が効率よく放熱される。従って、アレイ光源４１１Ａの冷却効率を高めることができる。従って、冷却装置６Ｃによるアレイ光源４１１Ａの冷却効率を高めることができる。
【００７９】
なお、本変形例においては、第１冷却ファン６４よりも小型の第１冷却ファン６４Ｃを用いることとしたが、これに限らない。例えば、第１放熱部６３に代えて、当該第１放熱部６３よりも小型の第１放熱部を設けることとしてもよい。この場合であっても、筐体６５内において導入部ＩＳの体積が拡大するため、上記変形例のように第１冷却ファン６４を＋Ｘ方向側に位置させることができる。このような構成であれば、第１冷却ファン６４を小型化する必要がないので、上記導入口６７１１から効率よく冷却気体を筐体６５内に流入できる。
【００８０】
［第１実施形態の第４変形例］
図１３は、第１実施形態の第４変形例に係る冷却装置６Ｄを示す断面図である。
上記第１実施形態では、照明装置４１は、冷却装置６を備えることとしたが、これに限られない。例えば、照明装置４１は、上記冷却装置６に代えて、図１３に示す冷却装置６Ｄを備えることとしてもよい。
冷却装置６Ｄは、図１３に示すように、受熱部６１の他、基板６２、第１放熱部６３、第１冷却ファン６４及び筐体６５のそれぞれに代えて、基板６２Ｄ、第１放熱部６３Ｄ、第１冷却ファン６４Ｄ及び筐体６５Ｄを有する。
これらのうち、基板６２Ｄ及び第１放熱部６３Ｄのそれぞれは、＋Ｙ方向側から見て、＋Ｘ方向に延出する略楕円形状に形成されている。また、これら基板６２Ｄ及び第１放熱部６３Ｄを収容する筐体６５Ｄも同様に、＋Ｙ方向側から見て、＋Ｘ方向に延出する略楕円形状に形成されている。このため、伝達領域Ａｒ１及び導入部ＩＳも＋Ｙ方向側から見て、略楕円形状に形成されている。
【００８１】
また、第１冷却ファン６４Ｄは、上記第１冷却ファン６４Ｃと同形状であり、上記第１冷却ファン６４よりも小型の冷却ファンである。
このような第１冷却ファン６４Ｄの回転軸は、上記中心軸Ｃよりも−Ｘ方向に位置している。すなわち、第１冷却ファン６４Ｄは、伝達領域Ａｒ１及び導入部ＩＳ内における−Ｘ方向側の位置に位置している。換言すると、第１冷却ファン６４Ｄは、＋Ｙ方向側から見て、受熱部６１と重ならないように、筐体６５Ｄ内に位置する。
【００８２】
このような構成においても、上記第１実施形態に係るプロジェクター１と同様の効果を奏することができる。また、本変形例では、第１冷却ファン６４Ｄが−Ｘ方向側（排出口ＤＢとは反対方向側）に位置しているため、第１冷却ファン６４Ｄにより基板６２の外周側に流出される冷却気体のうち、−Ｘ方向側に流出する冷却気体の流速は、＋Ｘ方向側に流出する冷却気体の流速よりも高くなる。このため、第１放熱部６３Ｄの−Ｘ方向側において、アレイ光源４１１Ａからの熱が効率よく放熱される。また、第１放熱部６３Ｄの＋Ｘ方向側の領域から流出される冷却気体の流速が上記第１実施形態の場合に比べて高まるので、伝達領域Ａｒ１及び第１放熱部６３を流通した冷却気体が排出口ＤＢから筐体６５Ｄ外に効率よく流出される。従って、冷却装置６Ｄにより、アレイ光源４１１Ａの冷却効率を更に高めることができる。
【００８３】
なお、上記第３及び第４変形例の構成に加えて、上記第２変形例のように、排出口ＤＢ内に上記基部６８１及び複数のフィン６８２を設けてもよい。これによれば、上記冷却装置６Ｃ，６Ｄの冷却効率をより高めることができる。
【００８４】
［第２実施形態］
次に、本発明の第２実施形態について説明する。
本発明の第２実施形態に係るプロジェクターは、上記第１実施形態に係るプロジェクター１と略同様の構成を備える。ここで、上記プロジェクター１の照明装置４１は、冷却装置６を備えていた。これに対し、本実施形態に係るプロジェクターの照明装置は、上記冷却装置６とは異なる冷却装置を備える。この点で、本実施形態に係るプロジェクターと上記第１実施形態に係るプロジェクター１とは相違する。
なお、以下の説明では、既に説明した部分と同一又は略同一である部分については、同一の符号を付して説明を簡略化又は省略する。
【００８５】
図１４は、本実施形態に係るプロジェクターの冷却装置６Ｅを示す断面図である。
冷却装置６Ｅは、図１４に示すように、受熱部６１及び筐体６５の他、基板６２、第１放熱部６３及び第１冷却ファン６４のそれぞれに代えて、基板６２Ｅ、第１放熱部６３Ｅ及び第１冷却ファン６４Ｅを有する。
これらのうち、基板６２Ｅは、＋Ｙ方向側から見て、筐体６５の中心軸Ｃを中心とする略円形状に形成され、本実施形態では、上記基板６２よりも小さい。具体的に、基板６２Ｅは、上記第１冷却ファン６４の吸引部６４１の基部６４１１と略同程度の大きさに形成されている。このような基板６２Ｅの第２面６２Ｅ１には、第１放熱部６３Ｅが位置している。
【００８６】
第１放熱部６３Ｅは、基部６３１Ｅ及び複数のフィン６３２Ｅを有する。
基部６３１Ｅは、＋Ｙ方向から見た場合に、略円径状に形成される板状部であり、当該基部６３１の外縁は、上記基板６２Ｅの外縁と一致する。このような基部６３１Ｅの＋Ｙ方向側の面には、各フィン６３２Ｅが位置する。
複数のフィン６３２Ｅは、基板６２Ｅ（基部６３１Ｅ）の中心から外周に向かう方向に沿ってそれぞれ延出し、基板６２Ｅ（基部６３１Ｅ）の外周に沿って等間隔に配置され、かつ、上記中心側から外周側に向かうに従って＋Ｄ方向側に反る湾曲形状（円弧形状）を有する。
【００８７】
第１冷却ファン６４Ｅは、第１放熱部６３Ｅを囲む位置、すなわち、第１放熱部６３Ｅの外側に位置し、冷却気体を吸引して、当該冷却気体を第１放熱部６３Ｅの複数のフィン６３２Ｅ間を流通させる。この第１冷却ファン６４Ｅの吸引部６４１Ｅは、図１４に示すように、＋Ｙ方向側から見て、略円環状に形成され、筐体６５内において、第１放熱部６３Ｅの複数のフィン６３２Ｅを囲む位置に位置する。
このような吸引部６４１Ｅの基部６４１１Ｅは、＋Ｙ方向側から見た場合に、略円環状に形成され、当該基部６４１１Ｅの＋Ｙ方向側の面には、複数の第１羽根部材６４１２Ｅが位置している。
複数の第１羽根部材６４１２Ｅは、基部６４１１Ｅの中心から外周に向かう方向に沿ってそれぞれ延出し、基部６４１１Ｅの外周（換言すると、吸引部６４１Ｅの回転方向である＋Ｄ方向）に沿って等間隔に配置され、かつ、上記中心側から外周側に向かうに従って＋Ｄ方向側に反る湾曲形状（円弧形状）を有する。
これにより、当該第１冷却ファン６４Ｅが駆動すると、冷却気体は、筐体６５内に流入し、伝達領域Ａｒ１に流入した後、第１放熱部６３Ｅの複数のフィン６３２Ｅ間を流通する。
【００８８】
［冷却気体の流通流路］
第１冷却ファン６４Ｅが駆動すると、上記導入口６７１１を介して、伝達領域Ａｒ１に対向する位置（導入部ＩＳ）に冷却気体が流入（導入）される。そして、導入部ＩＳに流入した冷却気体は、第１冷却ファン６４Ｅにより基板６２Ｅの外周側へと流出され、第１放熱部６３Ｅの複数のフィン６３２Ｅ間（流路ＦＰ）を流通する。この複数のフィン６３２Ｅ間を流通した冷却気体は、第１冷却ファン６４Ｅの吸引部６４１Ｅの複数の第１羽根部材６４１２Ｅ間を流通して、第１起立面６６２１に向けて流出する。そして、当該冷却気体は、図１４に示すように、＋Ｄ方向に向けて流出される。この冷却気体は、円弧状の第１起立面６６２１に沿って＋Ｘ方向へと流通し、第２起立面６６２２に沿って排出口ＤＢから、筐体６５外へと流出される。
【００８９】
このように、筐体６５内に流入された冷却気体は、伝達領域Ａｒ１に対向する位置（導入部ＩＳ）に流入されることにより、当該伝達領域Ａｒ１近傍を冷却した後、第１放熱部６３Ｅの各フィン６３２Ｅ間（流路ＦＰ）を流通することから、アレイ光源４１１Ａが確実に冷却される。また、導入部ＩＳ及び第１放熱部６３Ｅを流通した冷却気体が＋Ｄ方向に沿って筐体６５内をスムースに流通し、排出口ＤＢから流出されるので、当該筐体６５内に冷却対象であるアレイ光源４１１Ａを冷却した冷却気体が滞留することを抑制している。
【００９０】
［第２実施形態の効果］
以上説明した本実施形態に係るプロジェクターは、上記第１実施形態に係るプロジェクター１と同様の効果を奏する他、以下の効果を奏する。
第１冷却ファン６４Ｅの複数の第１羽根部材６４１２Ｅが第２面６２Ｅ１における第１放熱部６３Ｅを囲むように配置されているので、上記導入口６７１１から流入された冷却気体が伝達領域Ａｒ１を流通する可能性が高まる。これによれば、第１冷却ファン６４Ｅが導入部ＩＳに位置する場合に比べて、伝達領域Ａｒ１を確実に冷却できるので、冷却装置６Ｅの冷却効率を更に向上させることができる。
【００９１】
［第２実施形態の第１変形例］
図１５は、第２実施形態の第１変形例に係る冷却装置６Ｆを示す断面図である。
上記第２実施形態では、照明装置４１は、冷却装置６Ｅを備えることとしたが、これに限られない。例えば、照明装置４１は、上記冷却装置６に代えて、図１５に示す冷却装置６Ｆを備えることとしてもよい。
冷却装置６Ｆは、図１５に示すように、上記冷却装置６Ｅと略同一の構成を備える他、上記第２放熱部６８を備える。
このような構成の冷却装置６Ｆにおいて第１冷却ファン６４Ｅが駆動した場合であっても、第１冷却ファン６４Ｅが駆動すると、上記導入口６７１１を介して、伝達領域Ａｒ１に対向する位置（導入部ＩＳ）に冷却気体が流入（導入）される。そして、導入部ＩＳに流入した冷却気体は、第１冷却ファン６４Ｅにより基板６２Ｅの外周側へと流出され、第１放熱部６３Ｅの複数のフィン６３２Ｅ間（流路ＦＰ）を流通する。この複数のフィン６３２Ｅ間を流通した冷却気体は、第１冷却ファン６４Ｅの吸引部６４１Ｅの複数の第１羽根部材６４１２Ｅ間を流通して、第１起立面６６２１に向けて流出する。そして、当該冷却気体は、図１５に示すように、＋Ｄ方向に向けて流出される。この冷却気体は、円弧状の第１起立面６６２１に沿って＋Ｘ方向へと流通し、第２放熱部６８の複数のフィン６８２間を流通して、筐体６５外へと排出される。
【００９２】
このような構成によれば、上記第２実施形態に係るプロジェクター１と同様の効果を奏することができる。また、本変形例では、筐体６５内に流入した冷却気体の殆どが第１放熱部６３Ｅの複数のフィン６３２Ｅ間及び第２放熱部６８の複数のフィン６８２間の両方を流通するので、より確実にアレイ光源４１１Ａの熱を放熱できる。従って、冷却装置６Ｆによるアレイ光源４１１Ａの冷却効率を高めることができる。
【００９３】
なお、本変形例においては、第１放熱部６３Ｅは、略円形状に形成されていることとしたが、これに限らず、例えば、上記第１実施形態に係る第２及び第３変形例のように、複数に分断されている形状であってもよい。このような場合であっても、上記複数のフィン６８２を有しているので、殆どの冷却気体が複数のフィン６３２Ｅ間及び複数のフィン６８２のいずれかを流通するので、アレイ光源４１１Ａの熱を放熱できる。
【００９４】
［第３実施形態］
次に、本発明の第３実施形態について説明する。
本発明の第３実施形態に係るプロジェクターは、上記第１実施形態に係るプロジェクター１と略同様の構成を備える。ここで、上記プロジェクター１の照明装置４１は、冷却装置６を備えていた。これに対し、本実施形態に係るプロジェクターの照明装置は、上記冷却装置６とは異なる冷却装置を備える。この点で、本実施形態に係るプロジェクターと上記第１実施形態に係るプロジェクター１とは相違する。
なお、以下の説明では、既に説明した部分と同一又は略同一である部分については、同一の符号を付して説明を簡略化又は省略する。
【００９５】
図１６は、本実施形態に係るプロジェクターの冷却装置６Ｇを示す断面図であり、図１７は、図１６に示す冷却装置６Ｇを拡大して示す断面図である。
冷却装置６Ｇは、図１６及び図１７に示すように、受熱部６１、第１放熱部６３及び筐体６５の他、基板６２及び第１冷却ファン６４のそれぞれに代えて、基板６２Ｇ及び第１冷却ファン６４Ｇを有する。これらのうち、基板６２Ｇは、第１基板６２Ｇ１、第２基板６２Ｇ２及び駆動装置６２Ｇ３を有する。
これらのうち、第１冷却ファン６４Ｇは、吸引部６４１Ｇ及び駆動装置６４２Ｇを備える。なお、当該第１冷却ファン６４Ｇの構成は、上記第１冷却ファン６４と略同一の構成であるため、説明を省略する。
【００９６】
［基板の構成］
第１基板６２Ｇ１は、受熱部６１側に位置し、当該第１基板６２Ｇ１における第１面６２Ｇ１１の略中央には、受熱部６１が固定される。また、第１基板６２Ｇ１の第２面６２Ｇ１２の略中央には、駆動装置６２Ｇ３が位置する。
一方、第２基板６２Ｇ２は、第１放熱部６３側に位置し、当該第２基板６２Ｇ２の＋Ｙ方向側の面である第２面６２Ｇ２２には、第１放熱部６３が固定される。一方、第２基板６２Ｇ２の−Ｙ方向側の面である第１面６２Ｇ２１の略中央には、駆動装置６２Ｇ３が固定される。
【００９７】
駆動装置６２Ｇ３は、第２基板６２Ｇ２を当該第２基板６２Ｇ２の中心軸Ｃを回転軸として、当該第２基板６２Ｇ２を回転させる回転装置である。この駆動装置６２Ｇ３は、第１基板６２Ｇ１と第２基板６２Ｇ２との間に位置し、上記第２基板６２Ｇ２を＋Ｄ方向に回転させる。また、第２面６２Ｇ１２と第１面６２Ｇ２１との間の隙間の寸法Ｌ１は、例えば、３０μｍに設定されている。これにより、第１基板６２Ｇ１の熱は、当該隙間（当該隙間に位置する気体）を介して第２基板６２Ｇ２に伝達され、第２基板６２Ｇ２に固定された第１放熱部６３の複数のフィン６３２間に冷却気体が流通することにより放熱される。また、駆動装置６２Ｇ３の駆動により、好適に第２基板６２Ｇ２が＋Ｄ方向に回転する。
この駆動装置６２Ｇ３により回転される基板６２Ｇの回転速度は、第１冷却ファン６４Ｇの駆動装置６４２Ｇにより回転される吸引部６４１Ｇの回転速度より遅い。これにより、冷却装置６Ｇを＋Ｙ方向側から見た場合に、中心側から外周側に向けて冷却気体が効率よく流通する。
【００９８】
このような冷却装置６Ｇでは、第１冷却ファン６４Ｇが駆動すると、図１６に示すように、導入口６７１１を介して、伝達領域Ａｒ１に対向する位置（導入部ＩＳ）に冷却気体が流入される。そして、導入部ＩＳに流入した冷却気体は、第２基板６２Ｇ２の第２面６２Ｇ２２を流通し、基板６２Ｇの回転によって、第１放熱部６３の複数のフィン６３２間を流通して、当該基板６２Ｇの外周側へと流出される。そして、冷却気体は、当該各フィン６３２に沿って、＋Ｄ方向に向けて第１放熱部６３から当該基板６２Ｇの外側へと流出される。また、第１放熱部６３から流出された冷却気体は、＋Ｄ方向に向けて流出される。この冷却気体は、円弧状の第１起立面６６２１に沿って＋Ｘ方向へと流通し、第２起立面６６２２に沿って排出口ＤＢから、筐体６５外へと流出される。
【００９９】
［第３実施形態の効果］
以上説明した本実施形態に係るプロジェクターは、上記第１実施形態に係るプロジェクター１と同様の効果を奏する他、以下の効果を奏する。
基板６２Ｇの中心軸Ｃを回転軸とし、当該基板６２Ｇを回転軸に沿う方向に回転させる駆動装置６４２Ｇを有しているので、駆動装置６４２Ｇの駆動により第２基板６２Ｇ２、ひいては、当該第２基板６２Ｇ２に位置する第１放熱部６３が回転するので、第１冷却ファン６４Ｇにより導入口６７１１から流入された冷却気体が第１放熱部６３の流路ＦＰを流通する際に、当該回転方向（＋Ｄ方向）側に流通する。これによれば、第１放熱部６３の流路ＦＰを流通した冷却気体が上記＋Ｄ方向に流通することにより、スムースに当該冷却気体が排出口ＤＢに向けて流通する。従って、筐体６５内に導入部ＩＳ及び第１放熱部６３を流通した冷却気体が滞留することを抑制できる。
また、第１基板６２Ｇ１と第２基板６２Ｇ２との間に駆動装置６２Ｇ３が位置することから、アレイ光源４１１Ａ（受熱部６１）と駆動装置６２Ｇ３とが当接しないので、駆動装置６２Ｇ３の駆動による熱によって、当該アレイ光源４１１Ａの温度が上昇することを抑制できる。従って、アレイ光源４１１Ａの冷却効率を更に向上できる。
【０１００】
［第４実施形態］
次に、本発明の第４実施形態について説明する。
本発明の第４実施形態に係るプロジェクターは、上記第１実施形態に係るプロジェクター１と略同様の構成を備える。ここで、上記プロジェクター１の照明装置４１は、冷却装置６を備えていた。これに対し、本実施形態に係るプロジェクターの照明装置は、上記冷却装置６とは異なる冷却装置を備える。この点で、本実施形態に係るプロジェクターと上記第１実施形態に係るプロジェクター１とは相違する。
なお、以下の説明では、既に説明した部分と同一又は略同一である部分については、同一の符号を付して説明を簡略化又は省略する。
【０１０１】
図１８は、本実施形態に係るプロジェクターの冷却装置６Ｈを示す断面図であり、図１９は、図１８に示す冷却装置６Ｈを拡大して示す断面図である。
冷却装置６Ｈは、図１８及び図１９に示すように、受熱部６１、第１放熱部６３及び筐体６５の他、第１冷却ファン６４に代えて、第１冷却ファン６４Ｈ及び第２冷却ファン６９を有する。これらのうち、第１冷却ファン６４Ｈは、吸引部６４１Ｈ、駆動装置６４２Ｈ及び回転軸６４３Ｈを備える。なお、当該第１冷却ファン６４Ｈの吸引部６４１Ｈ及び駆動装置６４２Ｈの構成は、上記第１冷却ファン６４の吸引部６４１及び駆動装置６４２Ｈと略同一の構成であるため、説明を省略する。
回転軸６４３Ｈは、駆動装置６４２Ｈの略中央から−Ｙ方向に延出している。この回転軸６４３Ｈには、後述する第２冷却ファン６９が接続される。具体的に、第２冷却ファン６９は、開口部６９３を有し、当該開口部６９３の寸法は、上記回転軸６４３Ｈの寸法と略同じに形成されている。このため、第１冷却ファン６４Ｈの駆動装置６４２Ｈが駆動し、回転軸６４３Ｈが回転すると、吸引部６４１Ｈとともに、第２冷却ファン６９の複数の第２羽根部材６９２も回転する。すなわち、本実施形態では、第１冷却ファン６４Ｈ（複数の第１羽根部材６４１２Ｈ）の回転速度と第２冷却ファン６９（複数の第２羽根部材６９２）の回転速度は、略同じである。
【０１０２】
第２冷却ファン６９は、第１放熱部６３の各フィン６３２間を流通した冷却気体を排出口ＤＢに流通させる機能を有する。このような第２冷却ファン６９は、図１９に示すように、基部６９１、複数の第２羽根部材６９２及び上記開口部６９３が形成される天面部６９４を有する。これらのうち、基部６９１は、＋Ｚ方向側から見て、円環状に形成されている。このような基部６９１の＋Ｙ方向側の面には、複数の第２羽根部材６９２が位置している。
【０１０３】
複数の第２羽根部材６９２は、基部６９１の中心側から外周側に向かう方向に沿ってそれぞれ延出し、基部６９１の外周（＋Ｄ方向）に沿って等間隔に配置され、かつ、上記中心側から外周側に向かうに従って＋Ｄ方向側に反る湾曲形状（円弧形状）を有する。すなわち、第１冷却ファン６４Ｈの複数の第１羽根部材６４１２Ｈ及び第２冷却ファン６９の複数の第２羽根部材６９２のそれぞれは、略同方向に湾曲している。このような複数の第２羽根部材６９２（第２冷却ファン６９）は、＋Ｙ方向側から見て、第１放熱部６３の複数のフィン６３２を囲んで配置される。
開口部６９３は、天面部６９４の略中央に形成されている。また、天面部６９４は、図示を省略するが、複数の開口部を有し、当該開口部から第１冷却ファン６４Ｈの駆動によって、筐体６５内に流入した冷却気体が−Ｙ方向側に流通する。
【０１０４】
このような冷却装置６Ｈでは、第１冷却ファン６４Ｈが駆動すると、図１８及び図１９に示すように、導入口６７１１及び第２冷却ファン６９の天面部６９４における上記開口部（図示省略）を介して、伝達領域Ａｒ１に対向する位置（導入部ＩＳ）に冷却気体が流入される。そして、導入部ＩＳに流入した冷却気体は、第１冷却ファン６４Ｈにより基板６２の外周側へと流出され、第１放熱部６３の複数のフィン６３２間（流路ＦＰ）を流通する。この複数のフィン６３２間を流通した冷却気体は、第２冷却ファン６９の複数の第２羽根部材６９２間を流通して、第１起立面６６２１に向けて流出する。そして、当該冷却気体は、＋Ｄ方向に向けて流出される。この冷却気体は、円弧状の第１起立面６６２１に沿って＋Ｘ方向へと流通し、第２起立面６６２２に沿って排出口ＤＢから、筐体６５外へと流出される。
【０１０５】
［第４実施形態の効果］
以上説明した本実施形態に係るプロジェクターは、上記第１実施形態に係るプロジェクター１と同様の効果を奏する他、以下の効果を奏する。
筐体６５内に収容される第２冷却ファン６９の複数の第２羽根部材６９２は、第２面６２２における第１放熱部６３を囲んで配置されるので、第１冷却ファン６４により導入口６７１１から流入され、導入部ＩＳ及び第１放熱部６３を流通した冷却気体が、第２冷却ファン６９により筐体６５の第１起立面６６２１（内周面）に向けて、当該第２冷却ファン６９の回転方向（＋Ｄ方向）側に向けて流出される。これによれば、導入部ＩＳ及び第１放熱部６３を流通した冷却気体が排出口ＤＢに向けて、筐体６５の第１起立面６６２１に沿ってスムースに流通される。従って、筐体６５内に導入部ＩＳ及び第１放熱部６３を流通した冷却気体が滞留することをより抑制できる。
【０１０６】
ここで、第１冷却ファン６４Ｈの複数の第１羽根部材６４１２Ｈの回転速度が、第１放熱部６３を挟んで外側に位置する第２冷却ファン６９の複数の第２羽根部材６９２の回転速度より低い場合、第１冷却ファン６４Ｈ近傍の内部圧力が低下するので、導入部ＩＳ及び第１放熱部６３に冷却気体を効率よく流通させることができない。また、複数の第１羽根部材６４１２Ｈの回転方向と、複数の第２羽根部材６９２の回転方向とが異なる場合、第１冷却ファン６４Ｈ及び第１放熱部６３を流通した冷却気体が、第２冷却ファン６９により異なる方向に流通させられる可能性があることから、導入部ＩＳ及び第１放熱部６３を冷却した冷却気体が効率よく筐体６５の排出口ＤＢに向けて流通しない可能性がある。
これに対し、本実施形態では、第１冷却ファン６４Ｈ及び第２冷却ファン６９のそれぞれが同方向に回転し、かつ、複数の第１羽根部材６４１２Ｈの回転速度が複数の第２羽根部材６９２の回転速度よりも高いので、導入部ＩＳ及び第１放熱部６３を冷却した冷却気体を排出口ＤＢに向けて筐体６５の第１起立面６６２１をよりスムースに流通させることができる。従って、筐体６５内に導入部ＩＳ及び第１放熱部６３を流通した冷却気体が滞留することを更に抑制できる。
【０１０７】
ここで、第１冷却ファン６４Ｈが有する複数の第１羽根部材６４１２Ｈの湾曲方向と、第２冷却ファン６９が有する複数の第２羽根部材６９２の湾曲方向が異なる場合に、これらが同方向に回転すると、第１冷却ファン６４Ｈから流出される冷却気体の流出方向と、第２冷却ファン６９から流出される冷却気体の流出方向とが略同方向とならないので、筐体６５内に導入部ＩＳ及び第１放熱部６３を流通した冷却気体が滞留する可能性がある。
これに対し、複数の第１羽根部材６４１２Ｈ及び複数の第２羽根部材６９２のそれぞれは、＋Ｙ方向側から見て、略同方向に湾曲しているので、第１冷却ファン６４Ｈから流出され、導入部ＩＳ及び第１放熱部６３を冷却した冷却気体の流出方向と、第２冷却ファン６９により流出される当該冷却気体の流出方向が略同じとなるので、当該冷却気体を筐体６５の第１起立面６６２１に沿って、よりスムースに流通させることができる。従って、筐体６５内に導入部ＩＳ及び第１放熱部６３を流通した冷却気体が滞留することを確実に抑制できる。
【０１０８】
［第５実施形態］
次に、本発明の第５実施形態について説明する。
本発明の第５実施形態に係るプロジェクターは、上記第１実施形態に係るプロジェクター１と略同様の構成を備える。ここで、上記プロジェクター１の照明装置４１は、冷却装置６を備えていた。これに対し、本実施形態に係るプロジェクターの照明装置は、上記冷却装置６とは異なる冷却装置を備える。この点で、本実施形態に係るプロジェクターと上記第１実施形態に係るプロジェクター１とは相違する。
なお、以下の説明では、既に説明した部分と同一又は略同一である部分については、同一の符号を付して説明を簡略化又は省略する。
【０１０９】
図２０は、本実施形態に係るプロジェクターの冷却装置６Ｉを＋Ｙ方向側から見た断面図であり、図２１は、冷却装置６Ｈを＋Ｘ方向及び＋Ｙ方向のそれぞれに直交する方向から見た断面図である。
冷却装置６Ｉは、図２０及び図２１に示すように、第１放熱部６３及び第１冷却ファン６４の他、受熱部６１、基板６２及び筐体６５のそれぞれに代えて、受熱部６１Ｉ、基板６２Ｉ及び筐体６５Ｉを備える。
受熱部６１Ｉは、略矩形状に形成される板状部材である。この受熱部６１Ｉの一方の面は、冷却対象であるアレイ光源４１１Ａの側面に接続され、他方の面は、基板６２Ｉの延出部６２３Ｉの端部に接続される。
基板６２Ｉは、上記基板６２と略同一の構成を備える他、アレイ光源４１１Ａ側が接続される受熱部６１Ｉに向けて延出する延出部６２３Ｉを有する。この延出部６２３Ｉには、上記受熱部６１Ｉが接続される。これにより、アレイ光源４１１Ａの熱が受熱部６１Ｉを介して基板６２Ｉに伝達される。
【０１１０】
筐体６５Ｉは、上記筐体６５と略同形状に形成され、当該筐体６５よりも全ての寸法が大きく構成されている。このため、筐体６５Ｉ内に収容される基板６２Ｉ、第１放熱部６３及び第１冷却ファン６４のそれぞれは、支持面６６１１Ｉにおける一方側（延出部６２３Ｉとは反対方向側）に近接して配置される。すなわち、基板６２Ｉ、第１放熱部６３及び第１冷却ファン６４のそれぞれは、支持面６６１１Ｉにおける延出部６２３Ｉ側の領域は、上記延出部６２３Ｉ側とは反対側の領域よりも大きい。
【０１１１】
また、筐体６５Ｉの下部ケース６６Ｉにおける支持面６６１１Ｉには、開口部６６１３Ｉが形成されている。この開口部６６１３Ｉには、図２１に示すように、アレイ光源４１１Ａ及び受熱部６１Ｉの略半分が挿入されている。すなわち、アレイ光源４１１Ａ及び受熱部６１Ｉの略半分が筐体６５Ｉ内に位置する。また、開口部６６１３Ｉは、筐体６５Ｉ内において、冷却気体の流速が最も高くなる部位に形成されている。
更に、上部ケース６７Ｉにおける支持面６７１Ｉに形成される導入口６７１１Ｉは、上記導入口６７１１と同形状であるが、上記第１冷却ファン６４に対向する位置に形成されることが望ましい。このため、導入口６７１１Ｉは、上記第１冷却ファン６４に対向する位置に形成されている。
【０１１２】
このような構成である冷却装置６Ｉにおいて、第１冷却ファン６４が駆動すると、図２０及び図２１に示すように、導入口６７１１Ｉを介して、導入部ＩＳに冷却気体が流入される。そして、導入部ＩＳに流入した冷却気体は、第１冷却ファン６４により基板６２の外周側へと流出され、第１放熱部６３の複数のフィン６３２間（流路ＦＰ）を流通する。
ここで、上述したように、第１放熱部６３のうち、開口部６６１３Ｉとは反対方向側の端部は、第１起立面６６２１Ｉとの距離が小さいため、当該第１放熱部６３における複数のフィン６３２間から流出する冷却気体の流速が高まる。これにより、円弧状の第１起立面６６２１Ｉに沿って＋Ｘ方向へと流通する冷却気体の流速も高まり、当該流速が高まった冷却気体が、アレイ光源４１１Ａに直接流通する。そして、アレイ光源４１１Ａを冷却した冷却気体は、第２起立面６６２２に沿って排出口ＤＢから、筐体６５外へと流出される。
【０１１３】
［第５実施形態の効果］
以上本実施形態に係るプロジェクターは、上記第１実施形態に係るプロジェクターと同様の効果を奏する他、以下の効果を奏する。
筐体６５Ｉ内に基板６２Ｉ及び第１放熱部６３が収容されるので、当該筐体６５Ｉ内に上記導入口６７１１Ｉから冷却気体が流入され、当該筐体６５内を流通する。また、このような筐体６５Ｉ内において、基板６２Ｉの第１面６２１Ｉにおける冷却気体の流速が最も高い部位にアレイ光源４１１Ａが位置するので、確実にアレイ光源４１１Ａを冷却できる。これによれば、冷却気体によりアレイ光源４１１Ａを確実に冷却し、かつ、当該アレイ光源４１１Ａを冷却した冷却気体を排出口ＤＢから流出させることにより、アレイ光源４１１Ａを冷却した冷却気体が筐体６５Ｉ内に滞留することを抑制できる。従って、アレイ光源４１１Ａの冷却効率を向上できる。
また、当該開口部６６１３を介してアレイ光源４１１Ａが上記筐体６５Ｉ内に位置するので、当該アレイ光源４１１Ａに冷却気体を直接流通させることができ、当該アレイ光源４１１Ａを効率よく冷却できる。
【０１１４】
［実施形態の変形］
本発明は、上記実施形態に限定されるものではなく、本発明の目的を達成できる範囲での変形、改良等は本発明に含まれるものである。
上記各実施形態では、第１放熱部６３，６３Ａ，６３Ｂ，６３Ｄ，６３Ｅのそれぞれは、第２面６２２に位置することとした。しかしながら、これに限らず、例えば、第１放熱部６３，６３Ａ，６３Ｂ，６３Ｄ，６３Ｅのそれぞれは、第１面６２１に位置することとしてもよい。
【０１１５】
上記各実施形態では、受熱部６１は、略矩形状に形成されていることとしたが、これに限らず、例えば、三角形状であってもよいし、略円形状や楕円形状であってもよい。すなわち、＋Ｙ方向側から見て、下部ケース６６における開口部６６１３よりも若干小さな面積であればよい。
上記各実施形態では、受熱部６１は、下部ケース６６における開口部６６１３よりも若干小さな矩形状であることとした。しかしながら、これに限らず、受熱部６１は、当該開口部６６１３よりも大きくてもよい。この場合であっても、アレイ光源４１１Ａが当該開口部６６１３から突出するので、当該アレイ光源４１１Ａから適切にレーザー光を出射させることができる。また、受熱部６１の面積が拡大することにより、当該受熱部６１から効率よくアレイ光源４１１Ａの熱を基板６２に伝達させることができる。
【０１１６】
上記各実施形態では、受熱部６１を有することとした。しかしながら、これに限らず、受熱部６１はなくてもよい。例えば、冷却装置６は、基板６２の第１面６２１の冷却対象であるアレイ光源４１１Ａが当接する部位が、当該アレイ光源４１１Ａ側に突出する構成であってもよいし、基板６２の第１面６２１に直接アレイ光源４１１Ａが固定されてもよい。
【０１１７】
上記各実施形態では、受熱部６１、基板６２及び第１放熱部６３のそれぞれは、アルミニウムにより構成されていることとした。しかしながら、これに限らず、いずれかがアルミニウムにより構成され、その他が鉄や銅等、アルミニウムとは異なる金属により構成されていてもよい。すなわち、受熱部６１、基板６２及び第１放熱部６３のそれぞれは、同じ材料により構成されていなくてもよい。
また、受熱部６１を熱伝達率が最も高い金属材料により構成し、基板６２を受熱部６１よりも熱伝達率が低い金属材料により構成し、第１放熱部６３を基板６２よりも熱伝達率が低い金属材料により構成してもよいし、これらが逆の構成であってもよい。
【０１１８】
上記各実施形態では、冷却装置６，６Ａ〜６Ｉのそれぞれは、筐体６５，６５Ｄ，６５Ｉを備えることとした。しかしながら、これに限らず、冷却装置６，６Ａ〜６Ｉのそれぞれは、筐体６５，６５Ｄ，６５Ｉを備えなくてもよい。
上記各実施形態では、筐体６５，６５Ｄ，６５Ｉのそれぞれは、下部ケース６６，６６Ｄ，６６Ｉ及び上部ケース６７，６７Ｄ，６７Ｉを有することとした。しかしながら、これに限らず、筐体６５，６５Ｄ，６５Ｉのそれぞれは、上部ケース６７，６７Ｄ，６７Ｉを有さなくてもよい。この場合、第１冷却ファン６４，６４Ｃ〜６４Ｇのそれぞれが駆動した場合に、冷却気体をダイレクトに第１放熱部６３，６３Ａ，６３Ｂ，６３Ｄ，６３Ｅ及び第２放熱部６８のそれぞれに流通させることができるので、冷却効率を更に向上できる。
【０１１９】
上記各実施形態では、筐体６５，６５Ｄ，６５Ｉのそれぞれは、開口部６６１３，６６１３Ｉを備えることとした。しかしながら、これに限らず、上記開口部６６１３，６６１３Ｉはなくてもよい。この場合、アレイ光源４１１Ａは、筐体６５の下部ケース６６に直接取り付けられることとしてもよい。この場合であっても、アレイ光源４１１Ａを冷却できる。
【０１２０】
上記各実施形態では、第１冷却ファン６４，６４Ｃ〜６４Ｇのそれぞれは、筐体６５，６５Ｄ，６５Ｉ内に収容されることとした。しかしながら、これに限らず、第１冷却ファン６４，６４Ｃ〜６４Ｇのそれぞれは、筐体６５，６５Ｄ，６５Ｉ外に位置し、当該筐体６５，６５Ｄ，６５Ｉ内に冷却気体を送風する構成であってもよい。また、各冷却装置６，６Ａ〜６Ｉの構成に加えて、筐体６５，６５Ｄ，６５Ｉに向けて冷却気体を送風する冷却ファンを別途設けてもよいし、当該冷却ファンにより送風される冷却気体を流通させるダクトの排出口が上記筐体６５，６５Ｄ，６５Ｉ近傍に設けられることとしてもよい。
【０１２１】
上記各実施形態では、第１冷却ファン６４，６４Ｃ〜６４Ｇは、＋Ｄ方向に回転することとしたが、これに限らず、例えば、−Ｄ方向に回転することとしてもよい。この場合であっても、第１放熱部６３の複数のフィン６３２間を流通する冷却気体は、＋Ｄ方向に流通する。従って、第１冷却ファン６４の回転方向が異なる場合であっても、冷却気体は、筐体６５，６５Ｄ，６５Ｉ内を流通し、排出口ＤＢから流出される。
【０１２２】
上記各実施形態では、筐体６５，６５Ｄ，６５Ｉは、＋Ｙ方向側から見た場合に、略円形状に形成されていることとした、しかしながら、これに限らず、例えば、筐体６５，６５Ｄ，６５Ｉは、矩形状に形成されていてもよい。すなわち、筐体６５，６５Ｄ，６５Ｉの形状は、どのような形状であってもよい。
【０１２３】
上記各実施形態では、受熱部６１を有することとした。しかしながら、これに限らず、受熱部６１はなくてもよい。この場合、冷却対象であるアレイ光源４１１Ａが基板６２に直接接続されるので、当該基板６２に当該アレイ光源４１１Ａの熱を伝達させやすくすることができる。
【０１２４】
上記第３実施形態では、駆動装置６２Ｇ３により回転される基板６２Ｇの回転速度は、第１冷却ファン６４Ｇの駆動装置６４２Ｇにより回転される吸引部６４１Ｇの回転速度より遅いこととした。しかしながら、これに限らず、上記各回転速度は同じでもよいし、基板６２Ｇの回転速度が吸引部６４１Ｇの回転速度より速くてもよい。
また、上記基板６２Ｇ及び吸引部６４１Ｇのそれぞれは、＋Ｄ方向に回転することとしたが、これに限らず、例えば、基板６２Ｇが＋Ｄ方向に回転し、吸引部６４１Ｇが−Ｄ方向に回転してもよいし、これらが逆方向に回転してもよい。このような場合であっても、第１冷却ファン６４Ｇにより筐体６５内に流入した冷却気体は、第１起立面６６２１に流通し、基板６２Ｇの回転方向（基板６２Ｇが＋Ｄ方向に回転していれば＋Ｄ方向、基板６２Ｇが−Ｄ方向に回転していれば、−Ｄ方向）に上記第１起立面６６２１に流通し、排出口ＤＢから筐体６５外に排出される。
【０１２５】
上記各実施形態では、画像投射装置４は、上記図２に示した構成を有し、照明装置４１は、上記図３に示した構成及び配置を有するとした。しかしながら、これに限らず、画像投射装置、照明装置及び光源装置の構成及び配置は、適宜変更してよい。例えば、光源部４１１は、半導体レーザー４１１１から出射された励起光のうち、一部を拡散装置にて拡散反射させ、他の一部を波長変換装置５に入射させて蛍光を生成させた後、これら励起光及び蛍光を合成して出射する構成としてもよい。また、照明装置４１は、波長変換装置５にて生成される蛍光と合成される励起光を出射する光源部を、上記半導体レーザー４１１１とは別に有する構成としてもよい。更に、照明装置４１が出射する照明光ＷＬは、白色光でなくてもよい。
【０１２６】
上記各実施形態では、プロジェクター１は、それぞれ液晶パネルを含む３つの光変調装置４４（４４Ｒ，４４Ｇ，４４Ｂ）を備えるとした。しかしながら、これに限らず、２つ以下、或いは、４つ以上の光変調装置を備えたプロジェクターに本発明を適用してもよい。
上記各実施形態では、プロジェクターは、光入射面と光出射面とが異なる透過型の液晶パネルを有する光変調装置４４を備えるとした。しかしながら、これに限らず、光入射面と光出射面とが同一となる反射型の液晶パネルを有する光変調装置を採用してもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を採用してもよい。
【０１２７】
上記各実施形態では、冷却装置６，６Ａ〜６Ｉをアレイ光源４１１Ａに適用した例を挙げ、当該冷却装置６，６Ａ〜６Ｉを備えた照明装置４１をプロジェクターに適用した例を挙げた。しかしながら、これに限らず、冷却装置６，６Ａ〜６Ｉを照明装置４１以外の装置や自動車等に適用してもよいし、当該照明装置４１を照明機器等の電子機器に採用してもよい。すなわち、冷却装置６，６Ａ〜６Ｉの冷却対象は、どのようなものでもよい。
【０１２８】
その他、本発明の実施の際の具体的な構造は、本発明の目的を達成できる範囲で上記各実施形態及び各変形例を適宜組み合わせることで構成してもよく、また他の構造などに適宜変更してもよい。
【符号の説明】
【０１２９】
１…プロジェクター、６，６Ａ，６Ｂ，６Ｃ，６Ｄ，６Ｅ，６Ｆ，６Ｇ，６Ｈ，６Ｉ…冷却装置、４１…照明装置（光源装置）、４４，４４Ｂ，４４Ｇ，４４Ｒ…光変調装置、４６…投射光学装置、６１，６１Ａ，６１Ｉ…受熱部、６２，６２Ｂ，６２Ｄ，６２Ｅ，６２Ｇ，６２Ｉ…基板、６２Ｅ１…第２面、６２Ｇ１…第１基板、６２Ｇ１１…第１面、６２Ｇ１２…第２面、６２Ｇ２…第２基板、６２Ｇ２１…第１面、６２Ｇ２２…第２面、６２Ｇ３…駆動装置、６３，６３Ａ，６３Ｂ，６３Ｄ，６３Ｅ…第１放熱部、６４，６４Ｃ，６４Ｄ，６４Ｅ，６４Ｆ，６４Ｇ，６４Ｈ…第１冷却ファン、６５，６５Ｄ，６５Ｉ…筐体、４１１Ａ…アレイ光源（冷却対象）、６２１…第１面、６２１Ｉ…第１面、６２２…第２面、６４２…駆動装置、６４２Ｇ，６４２Ｈ…駆動装置、６９２…第２羽根部材、６９３…開口部、６４１２，６４１２Ｅ，６４１２Ｈ…第１羽根部材、６６１３，６６１３Ｉ…開口部、６７１１，６７１１Ｉ…導入口、Ａｒ１…伝達領域、Ｃ…中心軸、ＦＰ…流路、ＩＳ…導入部。
【図１】
2018106115.tif 000003
【図２】
2018106115.tif 000004
【図３】
2018106115.tif 000005
【図４】
2018106115.tif 000006
【図５】
2018106115.tif 000007
【図６】
2018106115.tif 000008
【図７】
2018106115.tif 000009
【図８】
2018106115.tif 000010
【図９】
2018106115.tif 000011
【図１０】
2018106115.tif 000012
【図１１】
2018106115.tif 000013
【図１２】
2018106115.tif 000014
【図１３】
2018106115.tif 000015
【図１４】
2018106115.tif 000016
【図１５】
2018106115.tif 000017
【図１６】
2018106115.tif 000018
【図１７】
2018106115.tif 000019
【図１８】
2018106115.tif 000020
【図１９】
2018106115.tif 000021
【図２０】
2018106115.tif 000022
【図２１】
2018106115.tif 000023